(57)【要約】【課題】判決文を適切に小文章に章立てし、当該小文章の項目分けまたは種類分けを行う技術や、この項目分けまたは種類分けされた小文章から判決文に関連する他の判決文の小文章や評釈などの小文章の検索を行う技術や、この項目分けまたは種類分けされた小文章から訴状などの文を作成する技術を提供する。【解決手段】コンピュータから第１の文および第２の文を受信する文章受信ステップと、第１の文に含まれる文章を複数の第１小文章に章立てし、第２の文に含まれる文章を第２小文章に章立てする章立てステップと、章立てされた第１小文章を予め定められた複数の第１項目ごとに項目分けし、章立てされた第２小文章を予め定められた複数の第２項目ごとに項目分けする項目分けステップと、第１の文、第１小文章、および第１項目に対応付けて記憶し、第２の文、第２小文章、および第２項目を対応付けて記憶し、更に第１の文および第２の文を対応付けて記憶する記憶ステップと、を含む判決文データベースの作成方法。【選択図】図２
2019197381.tif 000002
【特許請求の範囲】
【請求項１】
コンピュータから第１の文および第２の文を受信する文章受信ステップと、
前記第１の文に含まれる文章を複数の第１小文章に章立てし、前記第２の文に含まれる文章を第２小文章に章立てする章立てステップと、
前記章立てされた前記第１小文章を予め定められた複数の第１項目ごとに項目分けし、前記章立てされた前記第２小文章を予め定められた複数の第２項目ごとに項目分けする項目分けステップと、
前記第１の文、前記第１小文章、および前記第１項目に対応付けて記憶し、前記第２の文、前記第２小文章、および第２項目を対応付けて記憶し、更に前記第１の文および前記第２の文を対応付けて記憶する記憶ステップと、
を含むことを特徴とする判決文データベースの作成方法。
【請求項２】
前記第１小文章を前記第１項目において複数の第１種類のいずれに属するかを種類分けし、前記第２小文章を前記第２項目において複数の第２種類のいずれに属するかを種類分けする種類分けステップを更に含み、
前記記憶ステップは、前記複数の第１小文章の第１項目および前記第１種類が前記複数の第２小文章の第２項目および前記第２種類と類似または同一の場合に、前記第１の文および第２の文を対応付けて記憶する
ことを特徴とする請求項１に記載の判決文データベースの作成方法。
【請求項３】
第１の文に含まれる文章が複数の第１小文章に章立てされており、前記章立てされた前記第１小文章が予め定められた複数の第１項目ごとに項目分けされており、前記第１小文章を前記第１項目において複数の第１種類のいずれに属するかを種類分けされており、前記第１小文章を前記第１の文、前記第１項目、および前記第１種類に対応付けて記憶している判決文データベースの検索方法において、
ユーザの端末装置から前記第１項目または前記第１種類を含む検索要求を受信する要求受信ステップと、
前記検索要求に含まれる前記第１項目または前記第１種類に類似または同一の前記第１項目または前記第１種類を含む他の第１小文章または当該他の第１小文章に対応付けられた第１の文を判決文データベースから抽出する抽出ステップと、
前記抽出された前記他の第１小文章または当該他の第１小文章に対応付けられた第１の文を前記ユーザの端末装置へ送信する送信ステップと、
を含むことを特徴とする判決文データベースの検索方法。
【請求項４】
前記要求受信ステップにおいて、前記第１項目および前記第１種類を検索要求として受信した場合に、前記抽出ステップは、前記第１項目および前記第１種類を含む前記他の第１小文章または当該他の第１小文章に対応付けられた前記第１の文を抽出する
ことを特徴とする請求項３に記載の判決文データベースの検索方法。
【請求項５】
前記抽出ステップが前記第１小文章に対応付けて記憶されている前記他の第１の文を抽出した場合に、前記他の第１小文章が前記第１の文においてどこの位置に存在するかを示す表示画面を生成する画面生成ステップを更に含み、
前記送信ステップは、前記表示画面を前記ユーザの端末装置に送信する
ことを特徴とする請求項３または４に記載の判決文データベースの検索方法。
【請求項６】
前記受信ステップは、任意の章立てされた第１の文の第１小文章が選択入力されることによって検索要求を受信する
ことを特徴とする請求項３〜５のいずれか一項に記載の判決文データベースの検索方法。
【請求項７】
前記受信ステップは、前記選択入力された前記第１小文章に含まれる前記第１項目または前記第１種類を検索要求として受信する
ことを特徴とする請求項６に記載の判決文データベースの検索方法。
【請求項８】
前記抽出ステップにおいて、前記検索要求に含まれる前記第１項目または前記第１種類に対応付けられた前記他の第１小文章が複数前記判決文データベースから抽出された場合に、前記送信ステップは、抽出された前記複数の前記他の第１小文章を前記ユーザの端末装置へ送信する
ことを特徴とする請求項３〜７のいずれか一項に記載の判決文データベースの検索方法。
【請求項９】
第１の文に含まれる文章が複数の第１小文章に章立てされており、前記章立てされた前記第１小文章が予め定められた複数の第１項目ごとに項目分けされており、前記第１小文章を前記第１の文および前記第１項目に対応付けて記憶しており、前記第１の文に関連する第１の文以外の第２文に含まれる文章が複数の第２小文章に章立てされており、前記章立てされた前記第２小文章が予め定められた複数の第２項目ごとに項目分けされており、前記第１の文および前記第２文を対応付けて記憶している判決文データベースの検索方法であって、
ユーザの端末装置から前記第１項目を含む検索要求を受信する要求受信ステップと、
前記検索要求に含まれる前記第１項目に類似または同一の前記第２項目を含む前記第２の小文章を抽出する抽出ステップと、
前記抽出された前記第２小文章または当該第２小文章に対応付けられた前記第２文を前記ユーザの端末装置に送信する送信ステップと、
を含むことを特徴とする判決文データベースの検索方法。
【請求項１０】
前記第１小文章が項目分けされる前記複数の第１項目および前記第２の小文章が項目分けされる前記複数の第２項目は、それぞれ同一の項目を有する
ことを特徴とする請求項９に記載の判決文データベースの検索方法。
【請求項１１】
前記ユーザの端末装置に任意の第１の文が表示される表示画面を生成する画面生成ステップを更に含み、
前記送信ステップは、前記表示画面を前記ユーザの端末装置に送信し、
前記画面生成ステップは、前記抽出ステップにおいて抽出された前記第２小文章を前記第１の文と共に表示する表示画面が生成する
ことを特徴とする請求項９または１０に記載の判決文データベースの検索方法。
【請求項１２】
前記抽出ステップが前記第２小文章に対応付けて記憶されている前記第２の文を抽出した場合に、前記第２小文章が前記第２の文においてどこの位置に存在するかを示す表示画面を生成する画面生成ステップを更に含み、
前記送信ステップは、前記表示画面を前記ユーザの端末装置に送信する
ことを特徴とする請求項９〜１１のいずれか一項に記載の判決文データベースの検索方法。
【請求項１３】
前記受信ステップは、任意の章立てされた第１の文の第１小文章が選択入力されることによって検索要求を受信する
ことを特徴とする請求項９〜１２のいずれか一項に記載の判決文データベースの検索方法。
【請求項１４】
前記受信ステップは、前記選択入力された前記第１小文章に含まれる前記第１項目を検索要求として受信する
ことを特徴とする請求項１３に記載の判決文データベースの検索方法。
【請求項１５】
第１の文に含まれる文章が複数の第１小文章に章立てされており、前記章立てされた前記第１小文章が予め定められた複数の第１項目ごとに項目分けされており、前記第１小文章を前記第１の文および前記第１項目に対応付けて記憶しており、前記第１の文に関連する第１の文以外の第２文に含まれる文章が複数の第２小文章に章立てされており、前記章立てされた前記第２小文章が予め定められた複数の第２項目ごとに項目分けされており、前記第１の文および前記第２文を対応付けて記憶している判決文データベースから第３文を作成する文作成方法であって、
ユーザの端末装置から複数の前記第１項目を含む検索要求を受信する要求受信ステップと、
前記検索要求に含まれる前記複数の前記第１項目に類似または同一の前記第２項目を含む複数の前記第２の小文章を抽出する抽出ステップと、
前記抽出された前記複数の前記第２小文章を結合して前記第３文として生成する文生成ステップと、
前記生成された前記第３文を前記ユーザの端末装置に送信する送信ステップと、
を含むことを特徴とする文作成方法。
【請求項１６】
前記第３文を生成するために必要な前記第２小文章が揃うまで前記第１小文章の選択を促す表示画面を生成する画面生成ステップを更に含む
ことを特徴とする請求項１５に記載の文作成方法。
【請求項１７】
前記抽出された前記第２小文章の第２項目が種類分けされる第２種類の修正を受信する修正受信ステップを更に含み、
前記文生成ステップは、前記受信した修正に基づいて前記第３文を生成する
ことを特徴とする請求項１５または１６に記載の文作成方法。
【請求項１８】
前記第１小文章が項目分けされる前記複数の第１項目および前記第２の小文章が項目分けされる前記複数の第２項目は、それぞれ同一の項目を有する
ことを特徴とする請求項１５〜１７のいずれか一項に記載の判決文データベースの検索方法。
【請求項１９】
前記受信ステップは、任意の章立てされた第１の文の第１小文章が選択入力されることによって検索要求を受信する
ことを特徴とする請求項１５〜１８のいずれか一項に記載の判決文データベースの検索方法。
【請求項２０】
前記受信ステップは、前記選択入力された前記第１小文章に含まれる前記第１項目を検索要求として受信する
ことを特徴とする請求項１９に記載の判決文データベースの検索方法。
【請求項２１】
第１の文に含まれる文章が複数の第１小文章に章立てされており、前記章立てされた前記第１小文章が予め定められた複数の第１項目ごとに項目分けされており、前記第１小文章を前記第１項目において複数の第１種類のいずれに属するかを種類分けされており、前記第１小文章を前記第１項目および前記第１種類に対応付けて記憶しており、前記第１の文以外の第２文に含まれる文章が複数の第２小文章に章立てされており、前記章立てされた前記第２小文章が予め定められた複数の第２項目ごとに項目分けされており、前記第２小文章を前記第２項目において複数の第２種類のいずれに属するかを種類分けされており、前記第２小文章を前記第２項目および前記第２種類に対応付けて記憶している判決文データベースから第３文を作成する文作成方法であって、
ユーザの端末装置から複数の前記第１項目または第１種類を含む検索要求を受信する要求受信ステップと、
前記検索要求に含まれる前記複数の第１項目または前記第１種類に類似または同一の前記第２項目または前記第２種類を含む複数の前記第２小文章を抽出する抽出ステップと、抽出ステップと、
前記抽出された前記複数の前記第２小文章を結合して前記第３文として生成する文生成ステップと、
前記生成された前記第３文を前記ユーザの端末装置に送信する送信ステップと、
を含むことを特徴とする文作成方法。
【請求項２２】
前記第３文を生成するために必要な前記第２小文章が揃うまで前記第１小文章の選択を促す表示画面を生成する画面生成ステップを更に含む
ことを特徴とする請求項２１に記載の文作成方法。
【請求項２３】
前記抽出された前記第２小文章の前記第２種類の修正を受信する修正受信ステップを更に含み、
前記文生成ステップは、前記受信した修正に基づいて前記第３文を生成する
ことを特徴とする請求項２１または２２に記載の文作成方法。
【請求項２４】
前記第１小文章が項目分けされる前記複数の第１項目および前記第２の小文章が項目分けされる前記複数の第２項目は、それぞれ同一の項目を有し、
前記第１小文章が種類分けされる前記複数の第１種類および前記第２の小文章が種類分けされる前記複数の第２種類は、それぞれ同一の種類を有する
ことを特徴とする請求項２１〜２３のいずれか一項に記載の判決文データベースの検索方法。
【請求項２５】
前記要求受信ステップにおいて、前記第１項目および前記第１種類を検索要求として受信した場合に、前記抽出ステップは、前記第１項目および前記第１種類を含む前記第２小文章または当該第２小文章に対応付けられた前記第２の文を抽出する
ことを特徴とする請求項２１〜２４のいずれか一項に記載の判決文データベースの検索方法。
【請求項２６】
前記受信ステップは、任意の章立てされた第１の文の第１小文章が選択入力されることによって検索要求を受信する
ことを特徴とする請求項２１〜２５のいずれか一項に記載の判決文データベースの検索方法。
【請求項２７】
前記受信ステップは、前記選択入力された前記第１小文章に含まれる前記第１項目または前記第１種類を検索要求として受信する
ことを特徴とする請求項２６に記載の判決文データベースの検索方法。
【請求項２８】
コンピュータから第１の文および第２の文を受信する文章受信手段と、
前記第１の文に含まれる文章を複数の第１小文章に章立てし、前記第２の文に含まれる文章を第２小文章に章立てする章立て手段と、
前記章立てされた前記第１小文章を予め定められた複数の第１項目ごとに項目分けし、前記章立てされた前記第２小文章を予め定められた複数の第２項目ごとに項目分けする項目分け手段と、
前記第１の文、前記第１小文章、および前記第１項目に対応付けて記憶し、前記第２の文、前記第２小文章、および第２項目を対応付けて記憶し、更に前記第１の文および前記第２の文を対応付けて記憶する記憶手段と、
を含むことを特徴とする判決文データベースの作成装置。
【請求項２９】
第１の文に含まれる文章が複数の第１小文章に章立てされており、前記章立てされた前記第１小文章が予め定められた複数の第１項目ごとに項目分けされており、前記第１小文章を前記第１項目において複数の第１種類のいずれに属するかを種類分けされており、前記第１小文章を前記第１の文、前記第１項目、および前記第１種類に対応付けて記憶している判決文データベースの検索装置において、
ユーザの端末装置から前記第１項目または前記第１種類を含む検索要求を受信する要求受信手段と、
前記検索要求に含まれる前記第１項目または前記第１種類に類似または同一の前記第１項目または前記第１種類を含む他の第１小文章または当該他の第１小文章に対応付けられた第１の文を判決文データベースから抽出する抽出手段と、
前記抽出された前記他の第１小文章または当該他の第１小文章に対応付けられた第１の文を前記ユーザの端末装置へ送信する送信手段と、
を含むことを特徴とする判決文データベースの検索装置。
【請求項３０】
第１の文に含まれる文章が複数の第１小文章に章立てされており、前記章立てされた前記第１小文章が予め定められた複数の第１項目ごとに項目分けされており、前記第１小文章を前記第１の文および前記第１項目に対応付けて記憶しており、前記第１の文に関連する第１の文以外の第２文に含まれる文章が複数の第２小文章に章立てされており、前記章立てされた前記第２小文章が予め定められた複数の第２項目ごとに項目分けされており、前記第１の文および前記第２文を対応付けて記憶している判決文データベースの検索装置であって、
ユーザの端末装置から前記第１項目を含む検索要求を受信する要求受信手段と、
前記検索要求に含まれる前記第１項目に類似または同一の前記第２項目を含む前記第２の小文章を抽出する抽出手段と、
前記抽出された前記第２小文章または当該第２小文章に対応付けられた前記第２文を前記ユーザの端末装置に送信する送信手段と、
を含むことを特徴とする判決文データベースの検索装置。
【請求項３１】
第１の文に含まれる文章が複数の第１小文章に章立てされており、前記章立てされた前記第１小文章が予め定められた複数の第１項目ごとに項目分けされており、前記第１小文章を前記第１の文および前記第１項目に対応付けて記憶しており、前記第１の文に関連する第１の文以外の第２文に含まれる文章が複数の第２小文章に章立てされており、前記章立てされた前記第２小文章が予め定められた複数の第２項目ごとに項目分けされており、前記第１の文および前記第２文を対応付けて記憶している判決文データベースから第３文を作成する文作成装置であって、
ユーザの端末装置から複数の前記第１項目を含む検索要求を受信する要求受信手段と、
前記検索要求に含まれる前記複数の前記第１項目に類似または同一の前記第２項目を含む複数の前記第２の小文章を抽出する抽出手段と、
前記抽出された前記複数の前記第２小文章を結合して前記第３文として生成する文生成手段と、
前記生成された前記第３文を前記ユーザの端末装置に送信する送信手段と、
を含むことを特徴とする文作成装置。
【請求項３２】
第１の文に含まれる文章が複数の第１小文章に章立てされており、前記章立てされた前記第１小文章が予め定められた複数の第１項目ごとに項目分けされており、前記第１小文章を前記第１項目において複数の第１種類のいずれに属するかを種類分けされており、前記第１小文章を前記第１項目および前記第１種類に対応付けて記憶しており、前記第１の文以外の第２文に含まれる文章が複数の第２小文章に章立てされており、前記章立てされた前記第２小文章が予め定められた複数の第２項目ごとに項目分けされており、前記第２小文章を前記第２項目において複数の第２種類のいずれに属するかを種類分けされており、前記第２小文章を前記第２項目および前記第２種類に対応付けて記憶している判決文データベースから第３文を作成する文作成装置であって、
ユーザの端末装置から複数の前記第１項目または第１種類を含む検索要求を受信する要求受信手段と、
前記検索要求に含まれる前記複数の第１項目または前記第１種類に類似または同一の前記第２項目または前記第２種類を含む複数の前記第２小文章を抽出する抽出手段と、抽出手段と、
前記抽出された前記複数の前記第２小文章を結合して前記第３文として生成する文生成手段と、
前記生成された前記第３文を前記ユーザの端末装置に送信する送信手段と、
を含むことを特徴とする文作成装置。
【請求項３３】
コンピュータに、
他のコンピュータから第１の文および第２の文を受信する文章受信機能と、
前記第１の文に含まれる文章を複数の第１小文章に章立てし、前記第２の文に含まれる文章を第２小文章に章立てする章立て機能と、
前記章立てされた前記第１小文章を予め定められた複数の第１項目ごとに項目分けし、前記章立てされた前記第２小文章を予め定められた複数の第２項目ごとに項目分けする項目分け機能と、
前記第１の文、前記第１小文章、および前記第１項目に対応付けて記憶し、前記第２の文、前記第２小文章、および第２項目を対応付けて記憶し、更に前記第１の文および前記第２の文を対応付けて記憶する記憶機能と、
を実現させることを特徴とする判決文データベースの作成プログラム。
【請求項３４】
第１の文に含まれる文章が複数の第１小文章に章立てされており、前記章立てされた前記第１小文章が予め定められた複数の第１項目ごとに項目分けされており、前記第１小文章を前記第１項目において複数の第１種類のいずれに属するかを種類分けされており、前記第１小文章を前記第１の文、前記第１項目、および前記第１種類に対応付けて記憶している判決文データベースの検索プログラムにおいて、
コンピュータに、
ユーザの端末装置から前記第１項目または前記第１種類を含む検索要求を受信する要求受信機能と、
前記検索要求に含まれる前記第１項目または前記第１種類に類似または同一の前記第１項目または前記第１種類を含む他の第１小文章または当該他の第１小文章に対応付けられた第１の文を判決文データベースから抽出する抽出機能と、
前記抽出された前記他の第１小文章または当該他の第１小文章に対応付けられた第１の文を前記ユーザの端末装置へ送信する送信機能と、
を実現させることを特徴とする判決文データベースの検索プログラム。
【請求項３５】
第１の文に含まれる文章が複数の第１小文章に章立てされており、前記章立てされた前記第１小文章が予め定められた複数の第１項目ごとに項目分けされており、前記第１小文章を前記第１の文および前記第１項目に対応付けて記憶しており、前記第１の文に関連する第１の文以外の第２文に含まれる文章が複数の第２小文章に章立てされており、前記章立てされた前記第２小文章が予め定められた複数の第２項目ごとに項目分けされており、前記第１の文および前記第２文を対応付けて記憶している判決文データベースの検索プログラムにおいて、
コンピュータに、
ユーザの端末装置から前記第１項目を含む検索要求を受信する要求受信機能と、
前記検索要求に含まれる前記第１項目に類似または同一の前記第２項目を含む前記第２の小文章を抽出する抽出機能と、
前記抽出された前記第２小文章または当該第２小文章に対応付けられた前記第２文を前記ユーザの端末装置に送信する送信機能と、
を実現させることを特徴とする判決文データベースの検索プログラム。
【請求項３６】
第１の文に含まれる文章が複数の第１小文章に章立てされており、前記章立てされた前記第１小文章が予め定められた複数の第１項目ごとに項目分けされており、前記第１小文章を前記第１の文および前記第１項目に対応付けて記憶しており、前記第１の文に関連する第１の文以外の第２文に含まれる文章が複数の第２小文章に章立てされており、前記章立てされた前記第２小文章が予め定められた複数の第２項目ごとに項目分けされており、前記第１の文および前記第２文を対応付けて記憶している判決文データベースから第３文を作成する文作成プログラムにおいて、
コンピュータに、
ユーザの端末装置から複数の前記第１項目を含む検索要求を受信する要求受信機能と、
前記検索要求に含まれる前記複数の前記第１項目に類似または同一の前記第２項目を含む複数の前記第２の小文章を抽出する抽出機能と、
前記抽出された前記複数の前記第２小文章を結合して前記第３文として生成する文生成機能と、
前記生成された前記第３文を前記ユーザの端末装置に送信する送信機能と、
を実現させることを特徴とする文作成プログラム。
【請求項３７】
第１の文に含まれる文章が複数の第１小文章に章立てされており、前記章立てされた前記第１小文章が予め定められた複数の第１項目ごとに項目分けされており、前記第１小文章を前記第１項目において複数の第１種類のいずれに属するかを種類分けされており、前記第１小文章を前記第１項目および前記第１種類に対応付けて記憶しており、前記第１の文以外の第２文に含まれる文章が複数の第２小文章に章立てされており、前記章立てされた前記第２小文章が予め定められた複数の第２項目ごとに項目分けされており、前記第２小文章を前記第２項目において複数の第２種類のいずれに属するかを種類分けされており、前記第２小文章を前記第２項目および前記第２種類に対応付けて記憶している判決文データベースから第３文を作成する文作成プログラムにおいて、
ユーザの端末装置から複数の前記第１項目または第１種類を含む検索要求を受信する要求受信機能と、
前記検索要求に含まれる前記複数の第１項目または前記第１種類に類似または同一の前記第２項目または前記第２種類を含む複数の前記第２小文章を抽出する抽出機能と、抽出機能と、
前記抽出された前記複数の前記第２小文章を結合して前記第３文として生成する文生成機能と、
前記生成された前記第３文を前記ユーザの端末装置に送信する送信機能と、
を実現させることを特徴とする文作成プログラム。
【発明の詳細な説明】
【技術分野】
【０００１】
本発明は、判決文データベースの作成方法、判決文データベースの検索方法、文作成方法、判決文データベースの作成装置、判決文データベースの検索装置、文作成装置、判決文データベースの作成プログラム、判決文データベースの検索プログラム、および文作成プログラムに関する。
【背景技術】
【０００２】
複数の判決文を複数の分類に振り分けて、判決文を検索して参照したいユーザに検索し易くする技術が広く知られている。このような場合、判決文ごとにラベルが付与され、ユーザは、このラベルを元に検索を行うことになる。
【０００３】
例えば、特許文献１（特に段落０００４）には、入力された複数の訓練用文書（判例法文書）の法律概念を抽出するために構文解析されて、各法律概念の「特徴」（用語、法律の言い回し、および、埋込み引用文）が抽出されて、抽出された「特徴」が複数の訓練用文章に添付される。そして、関連性得点がこれらの「特徴」に対して算出されて、この算出結果も複数の訓練用文章に添付されてデータベースに記憶される。
【０００４】
より具体的に、特許文献１（特に段落０００６）では、訓練用文章が構文解析されて段落毎に分割されて、法律概念を包含する段落を識別する。そして、各法律概念は、その法律概念に関連する１つまたは複数のトピックと共に記憶される。このトピックを元に訓練用文章の「特徴（特許文献１の図２では「概念」）」が抽出される。
【先行技術文献】
【特許文献】
【０００５】
【特許文献１】特表２００３−５２６１４０号公報
【発明の概要】
【発明が解決しようとする課題】
【０００６】
しかしながら、特許文献１に開示された訓練用文章の分類分けでは、文章毎にトピックまたは「特徴」が付与されているため、文章全体を構文解析した結果として、文章全体にトピックまたは「特徴」が付与される。
【０００７】
通常、判決文などは、理由、請求、主張、などの多くの項目からなる。よって、それぞれの項目の特徴は、その事件によって内容（種類）が異なり、これらの複数の特徴を平均して１つの判決文にラベルを付与することはユーザによる判決文の検索精度を低下させている恐れがある。そもそも、複数の項目の特徴を平均して１つのラベルを導き出すこと自体が精度の低いラベリング手法であるともいえる。
【０００８】
更に、多くの判決文は、その判決文を詳細に説明した評釈と呼ばれる解説文が作成されており、この評釈を判決文と照らし合わせて読むことによって判決文の理解が深まる。しかし、判決文と評釈の文章中の対応関係については、読者によって見出す他方法はなく、判決文や評釈の読解を困難にしている。
【０００９】
また、判決文は、訴状に記載された訴えの内容に対照的に作成されるものであり、判決文を読み慣れていれば、判決文を読む際に、訴状と照らし合わせて読む必要はない。すなわち、訴状と判決文とは、対応関係にあるにも関わらず、訴状の作成には莫大な時間と費用がかかることが通常であり、一般人が訴訟を起こすことの妨げとなっている可能性がある。
【００１０】
そこで、本発明は上記事情に鑑みてなされたものであり、判決文を適切に小文章に章立てし、当該小文章の項目分けまたは種類分けを行う技術や、この項目分けまたは種類分けされた小文章から判決文に関連する他の判決文の小文章や評釈などの小文章の検索を行う技術や、この項目分けまたは種類分けされた小文章から訴状などの文を作成する技術を提供することを目的とする。
【課題を解決するための手段】
【００１１】
（１）本発明の第１態様は、判決文データベースの作成方法に関する。判決文データベースの作成方法は、コンピュータから第１の文および第２の文を受信する文章受信ステップと、第１の文に含まれる文章を複数の第１小文章に章立てし、第２の文に含まれる文章を第２小文章に章立てする章立てステップと、章立てされた第１小文章を予め定められた複数の第１項目ごとに項目分けし、章立てされた第２小文章を予め定められた複数の第２項目ごとに項目分けする項目分けステップと、第１の文、第１小文章、および第１項目に対応付けて記憶し、第２の文、第２小文章、および第２項目を対応付けて記憶し、更に第１の文および第２の文を対応付けて記憶する記憶ステップと、を含む。
【００１２】
（２）上記（１）において、第１小文章を第１項目において複数の第１種類のいずれに属するかを種類分けし、第２小文章を第２項目において複数の第２種類のいずれに属するかを種類分けする種類分けステップを更に含み、記憶ステップは、複数の第１小文章の第１項目および第１種類が複数の第２小文章の第２項目および第２種類と類似または同一の場合に、第１の文および第２の文を対応付けて記憶してもよい。
【００１３】
（３）本発明の第２態様は、第１の文に含まれる文章が複数の第１小文章に章立てされており、章立てされた第１小文章が予め定められた複数の第１項目ごとに項目分けされており、第１小文章を第１項目において複数の第１種類のいずれに属するかを種類分けされており、第１小文章を第１の文、第１項目、および第１種類に対応付けて記憶している判決文データベースの検索方法に関する。判決文データベースの検索方法は、ユーザの端末装置から第１項目または第１種類を含む検索要求を受信する要求受信ステップと、検索要求に含まれる第１項目または第１種類に類似または同一の第１項目または第１種類を含む他の第１小文章または当該他の第１小文章に対応付けられた第１の文を判決文データベースから抽出する抽出ステップと、抽出された他の第１小文章または当該他の第１小文章に対応付けられた第１の文をユーザの端末装置へ送信する送信ステップと、を含む。
【００１４】
（４）上記（３）において、要求受信ステップにおいて、第１項目および第１種類を検索要求として受信した場合に、抽出ステップは、第１項目および第１種類を含む他の第１小文章または当該他の第１小文章に対応付けられた第１の文を抽出してもよい。
【００１５】
（５）上記（３）または（４）において、抽出ステップが第１小文章に対応付けて記憶されている他の第１の文を抽出した場合に、他の第１小文章が第１の文においてどこの位置に存在するかを示す表示画面を生成する画面生成ステップを更に含み、送信ステップは、表示画面をユーザの端末装置に送信してもよい。
【００１６】
（６）上記（３）〜（５）のいずれかにおいて、受信ステップは、任意の章立てされた第１の文の第１小文章が選択入力されることによって検索要求を受信してもよい。
【００１７】
（７）上記（６）において、受信ステップは、選択入力された第１小文章に含まれる第１項目または第１種類を検索要求として受信してもよい。
【００１８】
（８）上記（３）〜（７）のいずれかにおいて、抽出ステップにおいて、検索要求に含まれる第１項目または第１種類に対応付けられた他の第１小文章が複数判決文データベースから抽出された場合に、送信ステップは、抽出された複数の他の第１小文章をユーザの端末装置へ送信してもよい。
【００１９】
（９）本発明の第３態様は、第１の文に含まれる文章が複数の第１小文章に章立てされており、章立てされた第１小文章が予め定められた複数の第１項目ごとに項目分けされており、第１小文章を第１の文および第１項目に対応付けて記憶しており、第１の文に関連する第１の文以外の第２文に含まれる文章が複数の第２小文章に章立てされており、章立てされた第２小文章が予め定められた複数の第２項目ごとに項目分けされており、第１の文および第２文を対応付けて記憶している判決文データベースの検索方法に関する。判決文データベースの検索方法は、ユーザの端末装置から第１項目を含む検索要求を受信する要求受信ステップと、検索要求に含まれる第１項目に類似または同一の第２項目を含む第２の小文章を抽出する抽出ステップと、抽出された第２小文章または当該第２小文章に対応付けられた第２文をユーザの端末装置に送信する送信ステップと、を含む。
【００２０】
（１０）上記（９）において、第１小文章が項目分けされる複数の第１項目および第２の小文章が項目分けされる複数の第２項目は、それぞれ同一の項目を有してもよい。
【００２１】
（１１）上記（９）または（１０）において、ユーザの端末装置に任意の第１の文が表示される表示画面を生成する画面生成ステップを更に含み、送信ステップは、表示画面をユーザの端末装置に送信し、画面生成ステップは、抽出ステップにおいて抽出された第２小文章を第１の文と共に表示する表示画面が生成してもよい。
【００２２】
（１２）上記（９）〜（１１）のいずれかにおいて、抽出ステップが第２小文章に対応付けて記憶されている第２の文を抽出した場合に、第２小文章が第２の文においてどこの位置に存在するかを示す表示画面を生成する画面生成ステップを更に含み、送信ステップは、表示画面をユーザの端末装置に送信してもよい。
【００２３】
（１３）上記（９）〜（１２）において、受信ステップは、任意の章立てされた第１の文の第１小文章が選択入力されることによって検索要求を受信してもよい。
【００２４】
（１４）上記（１３）において、受信ステップは、選択入力された第１小文章に含まれる第１項目を検索要求として受信してもよい。
【００２５】
（１５）本発明の第４態様は、第１の文に含まれる文章が複数の第１小文章に章立てされており、章立てされた第１小文章が予め定められた複数の第１項目ごとに項目分けされており、第１小文章を第１の文および第１項目に対応付けて記憶しており、第１の文に関連する第１の文以外の第２文に含まれる文章が複数の第２小文章に章立てされており、章立てされた第２小文章が予め定められた複数の第２項目ごとに項目分けされており、第１の文および第２文を対応付けて記憶している判決文データベースから第３文を作成する文作成方法に関する。文作成方法は、ユーザの端末装置から複数の第１項目を含む検索要求を受信する要求受信ステップと、検索要求に含まれる複数の第１項目に類似または同一の第２項目を含む複数の第２の小文章を抽出する抽出ステップと、抽出された複数の第２小文章を結合して第３文として生成する文生成ステップと、生成された第３文をユーザの端末装置に送信する送信ステップと、を含む。
【００２６】
（１６）上記（１５）において、第３文を生成するために必要な第２小文章が揃うまで第１小文章の選択を促す表示画面を生成する画面生成ステップを更に含んでもよい。
【００２７】
（１７）上記（１５）または（１６）において、抽出された第２小文章の第２項目が種類分けされる第２種類の修正を受信する修正受信ステップを更に含み、文生成ステップは、受信した修正に基づいて第３文を生成してもよい。
【００２８】
（１８）上記（１５）〜（１７）のいずれかにおいて、第１小文章が項目分けされる複数の第１項目および第２の小文章が項目分けされる複数の第２項目は、それぞれ同一の項目を有してもよい。
【００２９】
（１９）上記（１５）〜（１８）のいずれかにおいて、受信ステップは、任意の章立てされた第１の文の第１小文章が選択入力されることによって検索要求を受信してもよい。
【００３０】
（２０）受信ステップは、上記（１９）において、選択入力された第１小文章に含まれる第１項目を検索要求として受信してもよい。
【００３１】
（２１）本発明の第５態様は、第１の文に含まれる文章が複数の第１小文章に章立てされており、章立てされた第１小文章が予め定められた複数の第１項目ごとに項目分けされており、第１小文章を第１項目において複数の第１種類のいずれに属するかを種類分けされており、第１小文章を第１項目および第１種類に対応付けて記憶しており、第１の文以外の第２文に含まれる文章が複数の第２小文章に章立てされており、章立てされた第２小文章が予め定められた複数の第２項目ごとに項目分けされており、第２小文章を第２項目において複数の第２種類のいずれに属するかを種類分けされており、第２小文章を第２項目および第２種類に対応付けて記憶している判決文データベースから第３文を作成する文作成方法に関する。文作成方法は、ユーザの端末装置から複数の第１項目または第１種類を含む検索要求を受信する要求受信ステップと、検索要求に含まれる複数の第１項目または第１種類に類似または同一の第２項目または第２種類を含む複数の第２小文章を抽出する抽出ステップと、抽出ステップと、抽出された複数の第２小文章を結合して第３文として生成する文生成ステップと、生成された第３文をユーザの端末装置に送信する送信ステップと、を含む。
【００３２】
（２２）上記（２１）において、第３文を生成するために必要な第２小文章が揃うまで第１小文章の選択を促す表示画面を生成する画面生成ステップを更に含んでもよい。
【００３３】
（２３）上記（２１）または（２２）において、抽出された第２小文章の第２種類の修正を受信する修正受信ステップを更に含み、文生成ステップは、受信した修正に基づいて第３文を生成してもよい。
【００３４】
（２４）上記（２１）〜（２３）のいずれかにおいて、第１小文章が項目分けされる複数の第１項目および第２の小文章が項目分けされる複数の第２項目は、それぞれ同一の項目を有し、第１小文章が種類分けされる複数の第１種類および第２の小文章が種類分けされる複数の第２種類は、それぞれ同一の種類を有してもよい。
【００３５】
（２５）上記（２１）〜（２４）のいずれかにおいて、要求受信ステップにおいて、第１項目および第１種類を検索要求として受信した場合に、抽出ステップは、第１項目および第１種類を含む第２小文章または当該第２小文章に対応付けられた第２の文を抽出してもよい。
【００３６】
（２６）上記（２１）〜（２５）のいずれかにおいて、受信ステップは、任意の章立てされた第１の文の第１小文章が選択入力されることによって検索要求を受信してもよい。
【００３７】
（２７）上記（２６）において、受信ステップは、選択入力された第１小文章に含まれる第１項目または第１種類を検索要求として受信してもよい。
【００３８】
（２８）本発明の第６態様は、判決文データベースの作成装置に関する。判決文データベースの作成装置は、コンピュータから第１の文および第２の文を受信する文章受信手段と、第１の文に含まれる文章を複数の第１小文章に章立てし、第２の文に含まれる文章を第２小文章に章立てする章立て手段と、章立てされた第１小文章を予め定められた複数の第１項目ごとに項目分けし、章立てされた第２小文章を予め定められた複数の第２項目ごとに項目分けする項目分け手段と、第１の文、第１小文章、および第１項目に対応付けて記憶し、第２の文、第２小文章、および第２項目を対応付けて記憶し、更に第１の文および第２の文を対応付けて記憶する記憶手段と、を含む。
【００３９】
（２９）本発明の第７態様は、第１の文に含まれる文章が複数の第１小文章に章立てされており、章立てされた第１小文章が予め定められた複数の第１項目ごとに項目分けされており、第１小文章を第１項目において複数の第１種類のいずれに属するかを種類分けされており、第１小文章を第１の文、第１項目、および第１種類に対応付けて記憶している判決文データベースの検索装置に関する。判決文データベースの検索装置は、ユーザの端末装置から第１項目または第１種類を含む検索要求を受信する要求受信手段と、検索要求に含まれる第１項目または第１種類に類似または同一の第１項目または第１種類を含む他の第１小文章または当該他の第１小文章に対応付けられた第１の文を判決文データベースから抽出する抽出手段と、抽出された他の第１小文章または当該他の第１小文章に対応付けられた第１の文をユーザの端末装置へ送信する送信手段と、を含む。
【００４０】
（３０）本発明の第８態様は、第１の文に含まれる文章が複数の第１小文章に章立てされており、章立てされた第１小文章が予め定められた複数の第１項目ごとに項目分けされており、第１小文章を第１の文および第１項目に対応付けて記憶しており、第１の文に関連する第１の文以外の第２文に含まれる文章が複数の第２小文章に章立てされており、章立てされた第２小文章が予め定められた複数の第２項目ごとに項目分けされており、第１の文および第２文を対応付けて記憶している判決文データベースの検索装置に関する。判決文データベースの検索装置は、ユーザの端末装置から第１項目を含む検索要求を受信する要求受信手段と、検索要求に含まれる第１項目に類似または同一の第２項目を含む第２の小文章を抽出する抽出手段と、抽出された第２小文章または当該第２小文章に対応付けられた第２文をユーザの端末装置に送信する送信手段と、を含む。
【００４１】
（３１）本発明の第９態様は、第１の文に含まれる文章が複数の第１小文章に章立てされており、章立てされた第１小文章が予め定められた複数の第１項目ごとに項目分けされており、第１小文章を第１の文および第１項目に対応付けて記憶しており、第１の文に関連する第１の文以外の第２文に含まれる文章が複数の第２小文章に章立てされており、章立てされた第２小文章が予め定められた複数の第２項目ごとに項目分けされており、第１の文および第２文を対応付けて記憶している判決文データベースから第３文を作成する文作成装置に関する。文作成装置は、ユーザの端末装置から複数の第１項目を含む検索要求を受信する要求受信手段と、検索要求に含まれる複数の第１項目に類似または同一の第２項目を含む複数の第２の小文章を抽出する抽出手段と、抽出された複数の第２小文章を結合して第３文として生成する文生成手段と、生成された第３文をユーザの端末装置に送信する送信手段と、を含む。
【００４２】
（３２）本発明の第１０態様は、第１の文に含まれる文章が複数の第１小文章に章立てされており、章立てされた第１小文章が予め定められた複数の第１項目ごとに項目分けされており、第１小文章を第１項目において複数の第１種類のいずれに属するかを種類分けされており、第１小文章を第１項目および第１種類に対応付けて記憶しており、第１の文以外の第２文に含まれる文章が複数の第２小文章に章立てされており、章立てされた第２小文章が予め定められた複数の第２項目ごとに項目分けされており、第２小文章を第２項目において複数の第２種類のいずれに属するかを種類分けされており、第２小文章を第２項目および第２種類に対応付けて記憶している判決文データベースから第３文を作成する文作成装置に関する。文作成装置は、ユーザの端末装置から複数の第１項目または第１種類を含む検索要求を受信する要求受信手段と、検索要求に含まれる複数の第１項目または第１種類に類似または同一の第２項目または第２種類を含む複数の第２小文章を抽出する抽出手段と、抽出手段と、抽出された複数の第２小文章を結合して第３文として生成する文生成手段と、生成された第３文をユーザの端末装置に送信する送信手段と、を含む。
【００４３】
（３３）本発明の第１１態様は、判決文データベースの作成プログラムに関する。判決文データベースの作成プログラムは、コンピュータに、他のコンピュータから第１の文および第２の文を受信する文章受信機能と、第１の文に含まれる文章を複数の第１小文章に章立てし、第２の文に含まれる文章を第２小文章に章立てする章立て機能と、章立てされた第１小文章を予め定められた複数の第１項目ごとに項目分けし、章立てされた第２小文章を予め定められた複数の第２項目ごとに項目分けする項目分け機能と、第１の文、第１小文章、および第１項目に対応付けて記憶し、第２の文、第２小文章、および第２項目を対応付けて記憶し、更に第１の文および第２の文を対応付けて記憶する記憶機能と、を実現させる。
【００４４】
（３４）本発明の第１２態様は、第１の文に含まれる文章が複数の第１小文章に章立てされており、章立てされた第１小文章が予め定められた複数の第１項目ごとに項目分けされており、第１小文章を第１項目において複数の第１種類のいずれに属するかを種類分けされており、第１小文章を第１の文、第１項目、および第１種類に対応付けて記憶している判決文データベースの検索プログラムに関する。判決文データベースの検索プログラムは、コンピュータに、ユーザの端末装置から第１項目または第１種類を含む検索要求を受信する要求受信機能と、検索要求に含まれる第１項目または第１種類に類似または同一の第１項目または第１種類を含む他の第１小文章または当該他の第１小文章に対応付けられた第１の文を判決文データベースから抽出する抽出機能と、抽出された他の第１小文章または当該他の第１小文章に対応付けられた第１の文をユーザの端末装置へ送信する送信機能と、を実現させる。
【００４５】
（３５）本発明の第１３態様は、第１の文に含まれる文章が複数の第１小文章に章立てされており、章立てされた第１小文章が予め定められた複数の第１項目ごとに項目分けされており、第１小文章を第１の文および第１項目に対応付けて記憶しており、第１の文に関連する第１の文以外の第２文に含まれる文章が複数の第２小文章に章立てされており、章立てされた第２小文章が予め定められた複数の第２項目ごとに項目分けされており、第１の文および第２文を対応付けて記憶している判決文データベースの検索プログラムに関する。判決文データベースの検索プログラムは、コンピュータに、ユーザの端末装置から第１項目を含む検索要求を受信する要求受信機能と、検索要求に含まれる第１項目に類似または同一の第２項目を含む第２の小文章を抽出する抽出機能と、抽出された第２小文章または当該第２小文章に対応付けられた第２文をユーザの端末装置に送信する送信機能と、を実現させる。
【００４６】
（３６）本発明の第１４態様は、第１の文に含まれる文章が複数の第１小文章に章立てされており、章立てされた第１小文章が予め定められた複数の第１項目ごとに項目分けされており、第１小文章を第１の文および第１項目に対応付けて記憶しており、第１の文に関連する第１の文以外の第２文に含まれる文章が複数の第２小文章に章立てされており、章立てされた第２小文章が予め定められた複数の第２項目ごとに項目分けされており、第１の文および第２文を対応付けて記憶している判決文データベースから第３文を作成する文作成プログラムに関する。文作成プログラムは、コンピュータに、ユーザの端末装置から複数の第１項目を含む検索要求を受信する要求受信機能と、検索要求に含まれる複数の第１項目に類似または同一の第２項目を含む複数の第２の小文章を抽出する抽出機能と、抽出された複数の第２小文章を結合して第３文として生成する文生成機能と、生成された第３文をユーザの端末装置に送信する送信機能と、を実現させる。
【００４７】
（３７）本発明の第１５態様は、第１の文に含まれる文章が複数の第１小文章に章立てされており、章立てされた第１小文章が予め定められた複数の第１項目ごとに項目分けされており、第１小文章を第１項目において複数の第１種類のいずれに属するかを種類分けされており、第１小文章を第１項目および第１種類に対応付けて記憶しており、第１の文以外の第２文に含まれる文章が複数の第２小文章に章立てされており、章立てされた第２小文章が予め定められた複数の第２項目ごとに項目分けされており、第２小文章を第２項目において複数の第２種類のいずれに属するかを種類分けされており、第２小文章を第２項目および第２種類に対応付けて記憶している判決文データベースから第３文を作成する文作成プログラムに関する。文作成プログラムは、ユーザの端末装置から複数の第１項目または第１種類を含む検索要求を受信する要求受信機能と、検索要求に含まれる複数の第１項目または第１種類に類似または同一の第２項目または第２種類を含む複数の第２小文章を抽出する抽出機能と、抽出機能と、抽出された複数の第２小文章を結合して第３文として生成する文生成機能と、生成された第３文をユーザの端末装置に送信する送信機能と、を実現させる。
【発明の効果】
【００４８】
本発明によると、判決文を適切に小文章に章立てし、当該小文章の項目分けまたは種類分けを行う技術や、この項目分けまたは種類分けされた小文章から判決文に関連する他の判決文の小文章や評釈などの小文章の検索を行う技術や、この項目分けまたは種類分けされた小文章から訴状などの文を作成する技術を提供することができる。
【図面の簡単な説明】
【００４９】
【図１】判決文管理システムによる処理の一例を説明するための模式図である。
【図２】判決文管理システムの概略構成の一例を示す図である。
【図３】サーバの概略構成の一例を示す図である。
【図４Ａ】判決文データベースのデータ構造の一例を示す図である。
【図４Ｂ】評釈データベースのデータ構造の一例を示す図である。
【図４Ｃ】訴状データベースのデータ構造の一例を示す図である。
【図５】記憶部に記憶される複数の茶葉の最適な抽出条件のデータ構造の一例である
【図６】判決文データベースを作成するシーケンスの一例を示す図である。
【図７】評釈データベースを作成するシーケンスの一例を示す図である。
【図８】訴状データベースを作成するシーケンスの一例を示す図である。
【図９】端末装置の概略構成の一例を示す図である。
【図１０】端末装置の端末表示部によって表示される各表示画面の一例を示す図である。
【図１１】実施例１にかかる判決文管理システムによる訴状の作成に係る動作シーケンスの一例である。
【図１２】端末装置の端末表示部によって表示される各表示画面の一例を示す図である。
【図１３】実施例２にかかる判決文管理システムによる訴状の作成に係る動作シーケンスの一例である。
【図１４】実施例３にかかる文作成画面の一例である。
【図１５】実施例３にかかる画面遷移後の文作成画面の一例である。
【図１６】実施例３にかかる判決文管理システムによる訴状の作成に係る動作シーケンスの一例である。
【図１７】実施例３にかかる判決文管理システムによる訴状作成処理の一例である。
【図１８】実施例１の変形例４にかかる端末装置の端末表示部によって表示される各表示画面の一例を示す図である。
【発明を実施するための形態】
【００５０】
以下、本開示の一側面に係る制御方法、サーバおよび制御プログラムについて図を参照しつつ説明する。但し、本開示の技術的範囲はそれらの実施の形態に限定されず、特許請求の範囲に記載された発明とその均等物に及ぶ点に留意されたい。
【００５１】
（判決文管理システム１による処理の概要）
図１は、判決文管理システム１による処理の一例を説明するための模式図である。
【００５２】
判決文管理システム１は、１つ以上のコンピュータ２から複数の判決文、評釈、および訴状を受信し、サーバ３に記憶し、ユーザの端末装置４からの検索要求に応じて判決文、評釈、および訴状を提供する。判決文、評釈、および訴状は、裁判に関する文であり、通常はテキストデータからなる。判決文は、テキストデータ以外にも画像データ（動画像、静止画像）や音声データであってもよい。
【００５３】
サーバ３には、判決文データベース３１１、評釈データベース３１２、および訴状データベース３１３が記憶されている。判決文データベース３１１には複数の判決文が判決文識別情報（判決文ＩＤ）とともに記憶されている。評釈データベース３１２には複数の評釈が評釈識別情報（評釈ＩＤ）とともに記憶されている。訴訟データベース３１３には複数の訴状が訴状識別情報（訴状ＩＤ）とともに記憶されている。また、判決文データベース３１１、評釈データベース３１２、および訴状データベース３１３には、判決文識別情報、評釈識別情報、および訴状識別情報のそれぞれの関係を記憶している。この関係性は、別データベースに記憶していてもよい。また、判決文データベース３１１、評釈データベース３１２、および訴状データベース３１３は、本実施の形態においては、同一のサーバからなっているが、複数の別のサーバからなっていてもよく、判決文管理システム１の外部に存在してもよい。
【００５４】
ユーザは、サーバ３に記憶されている判決文、評釈、および訴状を検索したい場合には、端末装置４を用いて、検索要求をサーバ３に送信する。サーバ３は、受信した検索要求に応じてサーバ３の判決文データベース３１１、評釈データベース３１２、および訴状データベース３１３から判決文、評釈、および訴状を抽出して、ユーザの端末装置４に送信する。
【００５５】
なお、上述した図１の説明は、本発明の内容への理解を深めるための説明にすぎない。本発明は、具体的には、次に説明する各実施の形態において実施され、且つ、本発明の原則を実質的に超えずに、さまざまな変形例によって実施されてもよい。このような変形例はすべて、本発明および本明細書の開示範囲に含まれる。例えば、本実施の形態において、判決文を中心に評釈や訴状を検索する構成について説明しているが、評釈や訴状を元に判決文を検索する構成としてもよい。更に、本実施の形態にかかる文は、判決文、評釈、訴状に限定されて解釈される必要もない。すなわち、互いに関係性のある文章同士の検索に用いることができる。また、本発明の文は、判決文、評釈、および訴状に限定されず、答弁書などの他の文に適応することができる。例えば、法令にも適用することができる。民法に判決文、評釈、および訴状を対応付ける場合は、判決文、評釈、および訴状の小文章に第一編第一章第一条などが対応する文の小文章として対応付けられる。本発明において、判決文、評釈、および訴状の種別を問わずいずれか１つを第１の文、第１の文以外のいずれかを第２文とする。
【００５６】
（管理システム１の概略構成）
図２は、判決文管理システム１の概略構成の一例を示す図である。
【００５７】
判決文管理システム１は、複数のコンピュータ２、２、２・・・と、サーバ３と、ユーザの端末装置４とを有する。以下では、複数のコンピュータ２を単にコンピュータ２と称する場合がある。コンピュータ２、２、２・・・およびサーバ３は、例えば、インターネット５などの通信ネットワークを介してそれぞれ相互に接続される。更に、ユーザの端末装置４およびサーバ３は、例えば、インターネット５などの通信ネットワークを介してそれぞれ相互に接続される。また、ここではインターネット５が１つ例示されているが、インターネット５が複数のネットワークからなる場合は、それぞれのネットワーク間にゲートウェイ（図示しない）を適宜設けてもよい。コンピュータ２で実行されるプログラム（例えば、閲覧プログラム）と、サーバ３で実行されるプログラム（例えば、管理プログラム）とは、ハイパーテキスト転送プロトコル（ＨＴＴＰ）などの通信プロトコルを用いて通信を行う。
【００５８】
（コンピュータ２の概略構成）
コンピュータ２は、判決文、評釈、および訴状をサーバ３に送信するコンピュータである。コンピュータ２は、例えばパーソナルコンピュータであり、サーバ３と接続される。コンピュータ２は、サーバ３からの要求に応じて判決文、評釈、および訴状のデータをサーバ３に送信し、または、コンピュータ２の操作に応じてコンピュータ２からサーバ３に判決文、評釈、および訴状のデータをサーバ３に送信する。この判決文、評釈、および訴状のデータの取得要求は、サーバ３の管理者端末（図示しない）によって行われてもよく、端末装置４から要求を受けてもよい。
【００５９】
（サーバ３の概略構成）
図３は、サーバ３の概略構成の一例を示す図である。
【００６０】
サーバ３には、複数の判決文を記憶するデータベースと、複数の評釈を記憶する評釈データベースと、複数の訴状を記憶する訴状データベースが記憶されている。判決文データベース３１１には複数の判決文が判決文識別情報（判決文ＩＤ）とともに記憶されている。評釈データベース３１２には複数の評釈が評釈識別情報（評釈ＩＤ）とともに記憶されている。訴訟データベース３１３には複数の訴状が訴状識別情報（訴状ＩＤ）とともに記憶されている。また、判決文データベース３１１、評釈データベース３１２、および訴状データベース３１３には、判決文識別情報、評釈識別情報、および訴状識別情報のそれぞれの関係を記憶している。これらの判決文、評釈、および訴状は、サーバ３がコンピュータ２から受信し、端末装置４により検索される。そして、サーバ３は、端末装置４により入力された検索条件に基づいて判決文、評釈、および訴状を検索し、端末装置４に送信する。以上のような機能を実現するために、サーバ３は、サーバ通信部３１４、サーバ記憶部３１５、およびサーバ処理部３１６を更に備える。
【００６１】
サーバ通信部３１４は、サーバ３をインターネット５に接続するための通信インターフェース回路を有する。サーバ通信部３１４は、コンピュータ２から判決文、評釈、訴状、などの文を受信する。場合によって、サーバ通信部は、コンピュータ２に判決文、評釈、訴状、などの文の取得要求を送信する。更に、サーバ通信部３１４は、端末装置４から受信した検索条件などのデータをサーバ処理部３１６に送信する。そして、サーバ通信部３１４は、サーバ処理部３１６から得られた抽出結果や生成された画面構成を端末装置４に送信する。サーバ通信部３１４は、上述以外の情報をコンピュータ２や端末装置４に送信または受信することができる。
【００６２】
サーバ記憶部３１５は、例えば、半導体メモリ、磁気ディスク装置および光ディスク装置の内の少なくとも一つを有し、バスを介してサーバ３と接続される。サーバ記憶部３１５は、サーバ処理部３１６による処理に用いられるドライバプログラム、オペレーティングシステムプログラム、アプリケーションプログラム、データなどを記憶する。例えば、サーバ記憶部３１５は、ドライバプログラムとして、サーバ通信部３１４を制御する通信デバイスドライバプログラムなどを記憶する。コンピュータプログラムは、例えばＣＤ−ＲＯＭ、ＤＶＤ−ＲＯＭなどのコンピュータ読み取り可能な可搬型記録媒体から、公知のセットアッププログラムなどを用いてサーバ記憶部３１５にインストールされてもよい。また、サーバ記憶部３１５は、判決文データベース３１１、評釈データベース３１２、および訴状データベース３１３などを記憶する。
【００６３】
サーバ処理部３１６は、コンピュータ２から受信した文を章立てしたり、項目分けしたり、種類分けしたりして、文、小文章、項目、および種類を対応付けてサーバ記憶部３１５に記憶する。更にサーバ処理部３１６は、ユーザの端末装置４から受信した各種検索要求に応じて検索結果を抽出したり、抽出した検索結果をユーザの端末装置４に送信すべく画面構成を生成したり、生成された画面構成をサーバ通信部３１４に送ったりする。これらの機能は、サーバ処理部３１６が備えるプロセッサで実行されるプログラムにより実現される機能モジュールである。あるいは、これらの各部は、独立した集積回路、マイクロプロセッサ、またはファームウェアとしてサーバ３に実装されてもよい。なお、サーバ処理部３１６の処理内容は後述する。
【００６４】
（データベースのデータ構造）
図４Ａ〜４Ｃは、各種データベースのデータ構造の一例を示す図である。
【００６５】
なお、サーバ記憶部３１５が各種データベースを記憶するのではなく、サーバ３と接続可能な記憶部を有する他の装置（データベースなど）がこれらの各種データベースを記憶してもよい。この場合、サーバ３は、これらの各種データベースに記憶された情報を使用する際に、当該データベースを記憶する他の装置にアクセスして、当該データベースに記憶された情報を取得する。また、各データベースに含まれる各情報は、データベース以外の形式で記憶されてもよく、例えばそれぞれ独立して記憶されてもよい。
【００６６】
図４Ａは、判決文データベース３１１の構成を説明する表である。判決文データベース３１１は、前述の判決文識別情報、判決文が章立てされた第１小文章および第１小文章識別情報（第１小文章ＩＤ）、当該第１小文章が予め定められた複数の第１項目ごとに項目分けされた第１項目識別情報（第１項目ＩＤ）、および項目分けされた第１小文章がそれぞれの第１項目において複数の第１種類のいずれに属するかを種類分けされた第１種類識別情報（第１種類ＩＤ）をそれぞれ対応付けて記憶している。判決文データベース３１１においては、判決文識別情報、第１小文章識別情報、第１項目識別情報、および第１種類識別情報のうち２つ以上を対応付けて記憶していればよい。すなわち、判決文データベース３１１の使用用途に応じて記憶する識別情報を適宜設定することができる。
【００６７】
この判決文データベース３１１は、サーバ３とは別に存在するコンピュータ２から判決文を受信し、サーバ処理部３１６によって章立てされる。サーバ処理部３１６は、判決文に判決文識別情報を付与し、更に章立てされた第１小文章に第１小文章識別情報を付与し、これらの識別情報を対応付けて判決文データベース３１１に記憶する。また、判決文データベース３１１は、判決文識別情報と、後述する評釈データベース３１２の判決文識別情報や訴状データベース３１３の訴状識別情報との対応付けについて記憶している。この対応付けは、評釈データベース３１２または訴状データベース３１３が記憶していてもよく、他の記憶部が記憶していてもよい。
【００６８】
図４Ｂは、評釈データベース３１２の構成を説明する表である。評釈データベース３１２は、前述の評釈識別情報、評釈が章立てされた第２小文章および第２小文章識別情報（第２小文章ＩＤ）、当該第２小文章が予め定められた複数の第２項目ごとに項目分けされた第２項目識別情報（第２項目ＩＤ）、および項目分けされた第２小文章がそれぞれの第２項目において複数の第２種類のいずれに属するかを種類分けされた第２種類識別情報（第２種類ＩＤ）をそれぞれ対応付けて記憶している。評釈データベース３１２においては、評釈識別情報、第２小文章識別情報、第２項目識別情報、および第２種類識別情報のうち２つ以上を対応付けて記憶していればよい。すなわち、評釈データベース３１２の使用用途に応じて記憶する識別情報を適宜設定することができる。
【００６９】
この評釈データベース３１２は、サーバ３とは別に存在するコンピュータ２から評釈を受信し、サーバ処理部３１６によって章立てされる。サーバ処理部３１６は、評釈に評釈識別情報を付与し、更に章立てされた第２小文章に第２小文章識別情報を付与し、これらの識別情報を対応付けて評釈データベース３１２に記憶する。また、評釈データベース３１２は、評釈識別情報と、判決文データベース３１１の判決文識別情報や後述する訴状データベース３１３の訴状識別情報との対応付けについて記憶している。この対応付けは、判決文データベース３１１または訴状データベース３１３が記憶していてもよく、他の記憶部が記憶していてもよい。
【００７０】
図４Ｃは、訴状データベース３１３の構成を説明する表である。訴状データベース３１３は、前述の訴状識別情報、訴状が章立てされた第３小文章および第３小文章識別情報（第３小文章ＩＤ）、当該第３小文章が予め定められた複数の第３項目ごとに項目分けされた第３項目識別情報（第３項目ＩＤ）、および項目分けされた第３小文章がそれぞれの第３項目において複数の第３種類のいずれに属するかを種類分けされた第３種類識別情報（第３種類ＩＤ）をそれぞれ対応付けて記憶している。訴状データベース３１３においては、訴状識別情報、第３小文章識別情報、第３項目識別情報、および第３種類識別情報のうち２つ以上を対応付けて記憶していればよい。すなわち、訴状データベース３１３の使用用途に応じて記憶する識別情報を適宜設定することができる。
【００７１】
この訴状データベース３１３は、サーバ３とは別に存在するコンピュータ２から訴状を受信し、サーバ処理部３１６によって章立てされる。サーバ処理部３１６は、訴状に訴状識別情報を付与し、更に章立てされた第３小文章に第３小文章識別情報を付与し、これらの識別情報を対応付けて訴状データベース３１３に記憶する。また、訴状データベース３１３は、訴状識別情報と、判決文データベース３１１の判決文識別情報や評釈データベース３１２の評釈識別情報との対応付けについて記憶している。この対応付けは、判決文データベース３１１または評釈データベース３１２が記憶していてもよく、他の記憶部が記憶していてもよい。なお、本発明においては、判決文、評釈、または訴状の種類を問わず、任意の１つの文の小文章を第１小文章と呼び、任意の他の文の小文章を第２小文章と呼ぶ。これは、項目および種類についても同様である。
【００７２】
（判決文データベースの作成方法）
図４Ａに示される判決文データベース３１１の作成方法について説明する。判決文データベースの作成処理は、サーバ処理部３１６によって行われ、コンピュータ２から判決文を受信したタイミングで適宜処理が行われる。なお、コンピュータ２から受信した判決文が予め章立てされていたり、項目分けされていたり、種類分けされていたりする場合、サーバ３は、受信した判決文を適宜記憶するだけでよい。
【００７３】
図５は、サーバ処理部３１６によって行われる判決文データベース３１１を作成するシーケンスの一例を示す図である。
【００７４】
まず、サーバ処理部３１６は、コンピュータ２が受信したファイルが文章ファイル以外であって、章立てが困難であるか否かを判断する。そして、ファイルが文章ファイルではないと判断された場合（Ｓ５０１がＮＯ）は、エラー処理として受信した判決文を判決文データベース３１１に記憶しない。
【００７５】
一方、コンピュータ２から受信したファイルが文章ファイルであった場合（Ｓ５０１がＹＥＳ）は、Ｓ５０２にて判決文識別情報を付与する。なお、この判決文識別番号は、コンピュータ２から受信した際のファイル名などであってもよいことから、必ずしもサーバ処理部３１６が付与しなくてもよい。
【００７６】
次にサーバ処理部３１６は、Ｓ５０３にて章立て処理を行う。具体的にサーバ処理部３１６は、判決文を第１小文章に章立てを行い、それぞれの第１小文章に第１小文章識別情報を付与する。
【００７７】
ここで章立てとは、文を章や節に分けて、それらの章や節にタイトルを列挙することである。通常、章立てとは、文を作成する前に行われるが、本実施の形態では、作成された文について後から章立てを行う処理とする。具体的には、サーバ処理部３１６が受信した文章を段落ごとに出現する単語に応じてタイトルを付記したり、文章の所定箇所に出現する単語をタイトルとして識別したりする。本実施の形態において、このタイトルとは項目や種類を意図している。また、章立ての手法は、出現単語を用いる以外にも特定の文字列を抽出して行ったり、文の長さや文の数によって行ったり、あらゆる手法を採用することができる。
【００７８】
続くＳ５０４において、サーバ処理部３１６は、Ｓ５０３にて第１小文章に章立てされた判決文のそれぞれを予め定められた複数の第１項目ごとに項目分けを行う。具体的にサーバ処理部３１６は、第１小文章のそれぞれがいずれの項目に項目分けされたかの第１項目識別情報を付与する。項目分けは、第１小文章ごとに、出現単語を用いる以外にも特定の文字列を抽出して行ったり、文の長さや文の数によって行ったり、あらゆる手法を採用することができる。ここで項目とは、判決文の構成要素である、主文、理由、事実の概要、争点、争点に対する判断、結論、などからなる。また、例えば、争点は、通常複数の争点から成り立っていることが多い。よって、争点などの文章量の多い項目は、争点１、争点２・・・のように分割して項目分けしてもよい。本発明の項目分けの手法は、この構成に限定されるものではない。すなわち、判決文は、図６に示すようなツリー構造を有すると仮定することができる。
【００７９】
また、サーバ処理部３１６は、項目を一覧としてユーザの端末装置４に表示することで、目次を作成することができる。この目次を第１小文章の替わりに表示したり、目次と第１小文章を共に表示したりすることでも本発明は成り立つ。なお、目次とは、当業者の間ではＴＯＣ（Ｔａｂｌｅ  ｏｆ  Ｃｏｎｔｅｎｔｓ）と呼ばれることがある。目次の使用用途としては、目次を選択することで選択された目次に対応する小文章を表示できたり、表示または選択中の小文章に対応する目次を表示したりすることができる。目次を本発明に追加した場合の例や、小文章の替わりに目次を適応した場合の例は、変形例として後述する。
【００８０】
続くＳ５０５にて、サーバ処理部３１６は、項目分けされた第１小文章において複数の第１種類のいずれに属するかを種類分けする。具体的にサーバ処理部３１６は、第１項目のそれぞれがいずれの第１種類に属しているかを示す第１種類識別情報を付与する。このステップ５０５は、項目分けされた第１小文章を他の文の小文章と対応付ける場合に必要な処理であって、章立てのみを目的とする処理の場合は割愛できる。更にこのステップＳ５０５は、コンピュータ２が受信した判決文に他の文が対応付けられている場合は、割愛できる。すなわち、判決文および他の文の項目同士が一致している場合は、小文章同士の種類が一致していると仮定できる。種類分けは、特定の項目における文字列や数値などを抽出することで行われる。ここで種類とは、任意に設定することができ、例えば、判断が肯定的か否定的か、争点に用いられる法律の種類、訴額、などの少なくとも１つである。本発明の種類分けの手法は、この構成に限定されるものではない。
【００８１】
そして、Ｓ５０６にて、サーバ処理部３１６は、受信した判決文の識別情報である判決文識別情報と、第１小文章識別情報、第１項識別情報、および第１種類識別情報とを対応付けて判決文データベース３１１に記憶する。更に、サーバ処理部３１６は、判決文に対応付けられた他の文が存在する場合は、判決文識別情報に評釈識別情報や訴状識別情報を対応付けて記憶する。Ｓ５０６は、項目分けされた第１小文章識別情報を他の文の小文章と対応付けない場合は、判決文識別情報、第１小文章識別情報を、および第１項目識別情報を対応付けて記憶すればよい。
【００８２】
（評釈データベースの作成方法）
図４Ｂに示される評釈データベース３１２の作成方法について説明する。評釈データベースの作成処理は、サーバ処理部３１６によって行われ、コンピュータ２から評釈を受信したタイミングで適宜処理が行われる。なお、コンピュータ２から受信した評釈が予め章立てされていたり、項目分けされていたり、種類分けされていたりする場合、サーバ３は、受信した評釈を適宜記憶するだけでよい。
【００８３】
図７は、サーバ処理部３１６によって行われる評釈データベース３１２を作成するシーケンスの一例を示す図である。
【００８４】
まず、サーバ処理部３１６は、コンピュータ２が受信したファイルが文章ファイル以外であって、章立てが困難であるか否かを判断する。そして、ファイルが文章ファイルではないと判断された場合（Ｓ７０１がＮＯ）は、エラー処理として受信した評釈を評釈データベース３１２に記憶しない。
【００８５】
一方、コンピュータ２から受信したファイルが文章ファイルであった場合（Ｓ７０１がＹＥＳ）は、Ｓ７０２にて評釈識別情報を付与する。なお、この評釈識別番号は、コンピュータ２から受信した際のファイル名などであってもよいことから、必ずしもサーバ処理部３１６が付与しなくてもよい。
【００８６】
次にサーバ処理部３１６は、Ｓ７０３にて章立て処理を行う。具体的にサーバ処理部３１６は、評釈を第２小文章に章立てを行い、それぞれの第２小文章に第２小文章識別情報を付与する。受信したファイルが文章ファイル以外であって、章立てが困難である場合などは、エラー処理として受信した評釈を評釈データベース３１２に記憶しない。
【００８７】
ここで章立てとは、文を章や節に分けて、それらの章や節にタイトルを列挙することである。通常、章立てとは、文を作成する前に行われるが、本実施の形態では、作成された文について後から章立てを行う処理とする。具体的には、サーバ処理部３１６が受信した文章を段落ごとに出現する単語に応じてタイトルを付記したり、文章の所定箇所に出現する単語をタイトルとして識別したりする。本実施の形態において、このタイトルとは項目や種類を意図している。また、章立ての手法は、出現単語を用いる以外にも特定の文字列を抽出して行ったり、文の長さや文の数によって行ったり、あらゆる手法を採用することができる。
【００８８】
続くＳ７０４において、サーバ処理部３１６は、Ｓ７０４にて第２小文章に章立てされた評釈のそれぞれを予め定められた複数の第２項目ごとに項目分けを行う。具体的にサーバ処理部３１６は、第２小文章のそれぞれがいずれの項目に項目分けされたかの第２項目識別情報を付与する。項目分けは、第２小文章ごとに、出現単語を用いる以外にも特定の文字列を抽出して行ったり、文の長さや文の数によって行ったり、あらゆる手法を採用することができる。ここで項目とは、評釈の構成要素である、主文、理由、事実の概要、争点、争点に対する判断、結論、などからなる。また、例えば、争点は、通常複数の争点から成り立っていることが多い。よって、争点などの文章量の多い項目は、争点１、争点２・・・のように分割して項目分けしてもよい。本発明の項目分けの手法は、この構成に限定されるものではない。また、評釈は判決文同様に、図６に示すようなツリー構造を有すると仮定することができる。
【００８９】
また、サーバ処理部３１６は、項目を一覧としてユーザの端末装置４に表示することで、目次を作成することができる。この目次を第２小文章の替わりに表示したり、目次を第２小文章と共に表示したりすることでも本発明は成り立つ。なお、目次とは、当業者の間ではＴＯＣ（Ｔａｂｌｅ  ｏｆ  Ｃｏｎｔｅｎｔｓ）と呼ばれることがある。目次の使用用途としては、目次を選択することで選択された目次に対応する小文章を表示できたり、表示または選択中の小文章に対応する目次を表示したりすることができる。目次を本発明に追加した場合の例や、小文章の替わりに目次を適応した場合の例は、変形例として後述する。
【００９０】
続くＳ７０５にて、サーバ処理部３１６は、項目分けされた第２小文章において複数の第２種類のいずれに属するかを種類分けする。具体的にサーバ処理部３１６は、第２項目のそれぞれがいずれの第２種類に属しているかを示す第２種類識別情報を付与する。このステップＳ７０５は、項目分けされた第２小文章を他の文の小文章と対応付ける場合に必要な処理であって、章立てのみを目的とする処理の場合は割愛できる。更にこのステップＳ７０５は、コンピュータ２が受信した評釈に他の文が対応付けられている場合は、割愛できる。すなわち、評釈および他の文の項目同士が一致している場合は、小文章同士の種類が一致していると仮定できる。種類分けは、特定の項目における文字列や数値などを抽出することで行われる。ここで種類とは、任意に設定することができ、例えば、判断が肯定的か否定的か、争点に用いられる法律の種類、訴額、などの少なくとも１つである。本発明の種類分けの手法は、この構成に限定されるものではない。
【００９１】
そして、Ｓ７０６にて、サーバ処理部３１６は、受信した評釈の識別情報である評釈識別情報と、第２小文章識別情報、第２項識別情報、および第２種類識別情報とを対応付けて評釈データベース３１２に記憶する。更に、サーバ処理部３１６は、評釈に対応付けられた他の文が存在する場合は、評釈識別情報に判決文識別情報や訴状識別情報を対応付けて記憶する。Ｓ７０６は、項目分けされた第２小文章識別情報を他の文の小文章と対応付けない場合は、評釈識別情報、第２小文章識別情報を、および第２項目識別情報を対応付けて記憶すればよい。
【００９２】
（訴状データベースの作成方法）
図４Ｃに示される訴状データベース３１３の作成方法について説明する。訴状データベースの作成処理は、サーバ処理部３１６によって行われ、コンピュータ２から訴状を受信したタイミングで適宜処理が行われる。なお、コンピュータ２から受信した訴状が予め章立てされていたり、項目分けされていたり、種類分けされていたりする場合、サーバ３は、受信した訴状を適宜記憶するだけでよい。
【００９３】
図８は、サーバ処理部３１６によって行われる訴状データベース３１３を作成するシーケンスの一例を示す図である。
【００９４】
まず、サーバ処理部３１６は、コンピュータ２が受信したファイルが文章ファイル以外であって、章立てが困難であるか否かを判断する。そして、ファイルが文章ファイルではないと判断された場合（Ｓ８０１がＮＯ）は、エラー処理として受信した訴状を訴状データベース３１３に記憶しない。
【００９５】
一方、コンピュータ２から受信したファイルが文章ファイルであった場合（Ｓ８０１がＹＥＳ）は、Ｓ８０２にて訴状識別情報を付与する。なお、この訴状識別番号は、コンピュータ２から受信した際のファイル名などであってもよいことから、必ずしもサーバ処理部３１６が付与しなくてもよい。
【００９６】
次にサーバ処理部３１６は、Ｓ８０３にて章立て処理を行う。具体的にサーバ処理部３１６は、訴状を第３小文章に章立てを行い、それぞれの第３小文章に第３小文章識別情報を付与する。受信したファイルが文章ファイル以外であって、章立てが困難である場合などは、エラー処理として受信した訴状を訴状データベース３１３に記憶しない。
【００９７】
ここで章立てとは、文を章や節に分けて、それらの章や節にタイトルを列挙することである。通常、章立てとは、文を作成する前に行われるが、本実施の形態では、作成された文について後から章立てを行う処理とする。具体的には、サーバ処理部３１６が受信した文章を段落ごとに出現する単語に応じてタイトルを付記したり、文章の所定箇所に出現する単語をタイトルとして識別したりする。本実施の形態において、このタイトルとは項目や種類を意図している。また、章立ての手法は、出現単語を用いる以外にも特定の文字列を抽出して行ったり、文の長さや文の数によって行ったり、あらゆる手法を採用することができる。
【００９８】
続くＳ８０４において、サーバ処理部３１６は、Ｓ８０４にて第３小文章に章立てされた訴状のそれぞれを予め定められた複数の第３項目ごとに項目分けを行う。具体的にサーバ処理部３１６は、第３小文章のそれぞれがいずれの項目に項目分けされたかの第３項目識別情報を付与する。項目分けは、第３小文章ごとに、出現単語を用いる以外にも特定の文字列を抽出して行ったり、文の長さや文の数によって行ったり、あらゆる手法を採用することができる。ここで項目とは、訴状の構成要素である、趣旨、原因、事実の概要、争点、争点に対する判断、結論、などからなる。また、例えば、争点は、通常複数の争点から成り立っていることが多い。よって、争点などの文章量の多い項目は、争点１、争点２・・・のように分割して項目分けしてもよい。本発明の項目分けの手法は、この構成に限定されるものではない。また、訴状は判決文同様に、図６に示すようなツリー構造を有すると仮定することができる。
【００９９】
また、サーバ処理部３１６は、項目を一覧としてユーザの端末装置４に表示することで、目次を作成することができる。この目次を第３小文章の替わりに表示したり、目次を第３小文章と共に表示したりすることでも本発明は成り立つ。なお、目次とは、当業者の間ではＴＯＣ（Ｔａｂｌｅ  ｏｆ  Ｃｏｎｔｅｎｔｓ）と呼ばれることがある。目次の使用用途としては、目次を選択することで選択された目次に対応する小文章を表示できたり、表示または選択中の小文章に対応する目次を表示したりすることができる。目次を本発明に追加した場合の例や、小文章の替わりに目次を適応した場合の例は、変形例として後述する。
【０１００】
続くＳ８０５にて、サーバ処理部３１６は、項目分けされた第３小文章において複数の第３種類のいずれに属するかを種類分けする。具体的にサーバ処理部３１６は、第３項目のそれぞれがいずれの第３種類に属しているかを示す第３種類識別情報を付与する。このステップＳ８０５は、項目分けされた第３小文章を他の文の小文章と対応付ける場合に必要な処理であって、章立てのみを目的とする処理の場合は割愛できる。更にこのステップＳ８０５は、コンピュータ２が受信した訴状に対応付けられた他の文の小文章と対応付ける場合は、割愛できる。更にこのステップＳ８０５は、コンピュータ２が受信した評釈に他の文が対応付けられている場合は、割愛できる。種類分けは、特定の項目における文字列や数値などを抽出することで行われる。ここで種類とは、任意に設定することができ、例えば、判断が肯定的か否定的か、争点に用いられる法律の種類、訴額、などの少なくとも１つである。本発明の種類分けの手法は、この構成に限定されるものではない。
【０１０１】
そして、Ｓ８０６にて、サーバ処理部３１６は、受信した訴状の識別情報である訴状識別情報と、第３小文章識別情報、第３項識別情報、および第３種類識別情報とを対応付けて訴状データベース３１３に記憶する。更に、サーバ処理部３１６は、訴状に対応付けられた他の文が存在する場合は、訴状識別情報に判決文識別情報や評釈識別情報を対応付けて記憶する。Ｓ８０６は、項目分けされた第３小文章識別情報を他の文の小文章と対応付けない場合は、訴状識別情報、第３小文章識別情報を、および第３項目識別情報を対応付けて記憶すればよい。
【０１０２】
（端末装置４の概略構成）
図９は、端末装置４の概略構成の一例を示す図である。
【０１０３】
端末装置４は、無線通信ネットワークへの接続、Ｗｅｂアクセスなどを実行する。そのために、端末装置４は、端末通信部４１１と、端末記憶部４１２と、端末操作部４１３と、端末表示部４１４と、端末処理部４１５とを備える。
【０１０４】
なお、端末装置４としては、タブレットＰＣやノートＰＣを想定するが、本発明はこれに限定されない。端末装置４は、本発明が適用可能であればよく、例えば、多機能携帯電話（所謂「スマートフォン」）、携帯電話（所謂「フィーチャーフォン」）、携帯情報端末（ＰＤＡ）、携帯ゲーム機、携帯音楽プレイヤ、タブレット端末、などでもよい。
【０１０５】
端末通信部４１１は、通信インターフェース回路を備え、端末装置４をインターネット５に接続する。端末通信部４１１は、ネットワークを介して端末処理部４１５から供給されたデータをサーバ３などに送信する。また、端末通信部４１１は、ネットワークを介してサーバ３などから受信したデータを端末処理部４１５に供給する。
【０１０６】
端末記憶部４１２は、例えば、半導体メモリ装置を備える。端末記憶部４１２は、端末処理部４１５での処理に用いられるオペレーティングシステムプログラム、ドライバプログラム、アプリケーションプログラム、データなどを記憶する。例えば、端末記憶部４１２は、ドライバプログラムとして、端末操作部４１３を制御する入力デバイスドライバプログラム、端末表示部４１４を制御する出力デバイスドライバプログラムなどを記憶する。また、端末記憶部４１２は、アプリケーションプログラムとして、店舗関係者が端末操作部４１３を操作することによって入力された検索条件、特徴情報および特徴画像などをサーバ３に登録するための登録画面を表示する閲覧プログラムなどを記憶する。各種プログラムは、例えばＣＤ−ＲＯＭ、ＤＶＤ−ＲＯＭなどのコンピュータ読み取り可能な可搬型記録媒体から、公知のセットアッププログラムなどを用いて端末記憶部４１２にインストールされてもよい。また、端末記憶部４１２は、所定の処理に係る一時的なデータを一時的に記憶してもよい。
【０１０７】
端末操作部４１３は、端末装置４の操作が可能であればどのようなデバイスでもよく、例えば、マウス、タッチパネル、またはキーボタンなどである。ユーザは、端末操作部４１３を用いて、情報の選択や解除、文字や数字などを入力することができる。端末操作部４１３は、ユーザにより操作されると、その操作に対応する信号を発生する。そして、発生した信号は、端末処理部４１５に送信される。
【０１０８】
端末表示部４１４も、映像や画像などの表示が可能であればどのようなデバイスでもよく、例えば、液晶ディスプレイや有機ＥＬ（Electro−Luminescence）ディスプレイなどである。端末表示部４１４は、端末処理部４１５から供給された映像データに応じた映像や、画像データに応じた画像などを表示する。
【０１０９】
端末処理部４１５は、一または複数個のプロセッサおよびその周辺回路を備える。端末処理部４１５は、端末装置４の全体的な動作を統括的に制御するものであり、例えば、ＣＰＵである。端末処理部４１５は、端末装置４の各種処理が端末記憶部４１２に記憶されているプログラムや端末操作部４１３の操作などに基づいて適切な手順で実行されるように、端末通信部４１１や端末表示部４１４などの動作を制御する。端末処理部４１５は、端末記憶部４１２に記憶されているプログラム（オペレーティングシステムプログラムやドライバプログラム、アプリケーションプログラムなど）に基づいて処理を実行する。また、端末処理部４１５は、複数のプログラム（アプリケーションプログラムなど）を並列に実行することができる。
【０１１０】
端末処理部４１５は、端末装置４の外部から受信した画面表示情報をユーザに閲覧可能な画面表示として処理をする機能や、ユーザからの端末操作部４１３の操作内容に基づく処理を端末装置４の外部に送信可能な信号に変換して端末送信部４１１に送る機能を備える。これらの機能は、端末処理部４１５が備えるプロセッサで実行されるプログラムにより実現される機能モジュールである。あるいは、これらの各部は、独立した集積回路、マイクロプロセッサ、またはファームウェアとして端末装置４に実装されてもよい。
【０１１１】
（実施例１）
判決文管理システム１の特徴を実施例１として記載する。なお、本実施の形態において、実施例１を他の実施例に組み合わせることが可能である。ただし、詳細な組み合わせた場合の構成については、記載を割愛する。
【０１１２】
（端末装置４の機能）
図１０は、端末装置４の端末表示部４１４によって表示される各表示画面の一例を示す図である。
【０１１３】
図１０は、端末装置４に表示される文検索画面４００の一例を示す図である。文検索画面４００は、ユーザが端末装置４を用いて判決文、評釈、または訴状などの文を検索するためのＷｅｂサイトにアクセスした際に表示される画面である。本実施例では、任意の判決文の小文章から類似した判決文を検索する構成を例示する。本実施例は、判決文同士の検索以外に評釈同士の検索や訴状同士の検索、更には判決文の小文章に類似した評釈を検索することもできる。文検索画面４００には、任意の判決文を表示する領域である判決文表示領域４０１、検索結果を表示する領域である検索結果表示領域４０２、およびユーザのマウスの操作によって移動されるマウスポインタ４０３などが表示される。
【０１１４】
判決文表示領域４０１には、判決文が章立てされた第１小文章が表示されている。具体的には、項目ごとにユーザに識別可能に表示される。図１０の例では、判決文が小文章１  ４０４、小文章２  ４０５、小文章３  ４０６、および小文章４  ４０７に区分けされて表示されている。
【０１１５】
マウスポインタ４０３は、ユーザは、マウス操作によって判決文表示領域４０１に表示される任意の第１小文章を選択可能になっている。ここで選択とは、マウスのクリック操作、マウスのボタンを押下したまま領域を選択する操作、マウスのポインタ位置を移動する操作（所謂マウスオーバー）などをいう。本実施例では、マウスオーバーを例として説明をする。
【０１１６】
検索結果表示領域４０２には、ユーザによって選択された第１小文章に類似する第１小文章を含む判決文または第１小文章が表示される。図１０の例では、マウスポインタが、小文章２  ４０５をマウスオーバーによって選択しているため、検索結果表示領域４０２には小文章２  ４０５に類似する第１小文章４０８ａ、４０８ｂ、４０８ｃが表示されている。小文章２  ４０５に類似する判決文または第１小文章が複数ある場合には、図１０のように複数の判決文または第１小文章が表示され、類似する判決文または第１小文章が抽出されない場合には検索結果表示領域４０２に何も表示されない。
【０１１７】
（判決文の小文章に類似する小文章の検索）
図１１は、実施例１にかかる判決文管理システム１による判決文の検索に係る動作シーケンスの一例を示す図である。
【０１１８】
以下に説明する動作シーケンスは、予めサーバ記憶部３１５に記憶されているプログラムに基づいて、主にサーバ処理部３１６により、サーバ３の各要素と協働して実行される。また、以下に説明する動作シーケンスは、予め端末装置４の端末記憶部４１２に記憶されているプログラムに基づいて、主に端末装置４の端末処理部４１５により、端末装置４の各要素と協働して実行される。また、以下に説明する動作シーケンスにおいて、サーバ３は、サーバ通信部３１４を介して端末装置４と各種の情報を送受信する。
【０１１９】
最初にサーバ３は、ユーザの端末装置４から表示したい判決文の選択入力を受け付け、判決文データベース３１１から選択入力された判決文識別情報に対応する判決文を抽出し、当該判決文を端末装置４に送信する（Ｓ１１０１）。
【０１２０】
次に、サーバ処理部３１６は、表示された章立てされた判決文のうち任意の第１小文章の選択入力を受け付ける（Ｓ１１０２）。ここで選択入力された第１小文章は、ユーザの所望する検索条件である。この選択入力は、任意の１つの第１小文章であってもよく、２つ以上の選択入力を受け付けてもよい。複数の選択入力を受け付けた際は、個々の入力に対して個々の検索結果を表示することで検索結果を複数表示したり、ＡＮＤ検索を行った上で複数の検索条件に合致した結果が表示されたりする。
【０１２１】
そしてサーバ処理部３１６は、判決文データベース３１１を参照して、選択入力された第１小文章の識別情報である第１小文章識別情報に対応付けられた第１項目識別情報および第１種類識別情報を抽出する（Ｓ１１０３）。
【０１２２】
続いて、サーバ処理部３１６は、抽出された第１項目識別情報および第１種類識別情報と同一の第１項目識別情報および第１種類識別情報を有する第１小文章識別情報を抽出する（Ｓ１１０４）。前述の通り、Ｓ１１０４でサーバ処理部３１６は、第１項目識別情報および第１種類識別情報と同一の第２項目識別情報または第２種類識別情報を評釈データベース３１２から抽出してもよく、第３項目識別情報または第３種類識別情報を訴状データベース３１３から抽出してもよい。なお、本実施例では、第１項目識別情報および第１種類識別情報のいずれかと同一の第１項目識別情報または第１種類識別情報を有する第１小文章識別情報を抽出してもよい。更に、本実施例では、第１項目識別情報および第１種類識別情報と類似する第１項目識別情報および第１種類識別情報を有する第１小文章識別情報を抽出してもよい。
【０１２３】
すなわち、図４Ａの例において第１小文章識別情報０１−Ｂ００２がユーザにより選択入力された場合は、第１小文章識別情報０１−Ｂ００２の有する第１項目識別情報が０１−Ｋ００４であり、第１種類識別情報が０１−Ｓ００５であるため、同一の項目識別情報および種類識別情報を有する第１小文章識別情報０１−Ｂ００５が抽出される。そして、第１小文章識別情報０１−Ｂ００５または当該第１小文章を含む判決文識別情報０１−００２に対応する文章または判決文の少なくとも一方が端末装置４に送信される。
【０１２４】
本実施例では、任意の判決文の第１小文章から類似した判決文を検索する構成としたが、類似した判決文以外の文を検索することもできる。例えば、判決文の第１小文章から評釈の第２小文章を検索する場合サーバ処理部３１６は、第１項目識別情報および第１種類識別情報と同一の第２項目識別情報または第２種類識別情報を評釈データベース３１２から抽出する。この場合、第１項目識別情報および第２項目識別情報が関連している、または同一（共通）の項目分けを有することが好ましい。更に、第１種類識別情報および第２種類識別情報が関連している、または同一（共通）の種類分けを有することが好ましい。例えば、図４Ｂの例において、第１小文章識別情報０１−Ｂ００２がユーザにより選択入力された場合は、第１小文章識別情報０１−Ｂ００２の有する第１項目識別情報が０１−Ｋ００４であり、第１種類識別情報が０１−Ｓ００５であるため、同一の項目識別情報および種類識別情報を有する第２小文章識別情報０２−Ｂ００２および０２−Ｂ００５が評釈データベース３１２より抽出される。そして、第２小文章識別情報０２−Ｂ００２および０２−Ｂ００５または当該第２小文章を含む評釈識別情報０２−００１および０２−００２に対応する第２小文章または評釈の少なくとも一方が端末装置４に送信される。
【０１２５】
続いて、サーバ処理部３１６は、判決文データベース３１１に該当する抽出結果が存在するかを判断する（Ｓ１１０５）。抽出結果が存在しない場合（Ｓ１１０５がＮＯ）は、表示する結果が存在しないため、本処理は終了する。
【０１２６】
一方、抽出結果が存在する場合（Ｓ１１０５がＹＥＳ）サーバ処理部３１６は、抽出結果として第１小文章を含む判決文または当該第１小文章を表示する画面構成を生成して、端末装置４に送信する（Ｓ１１０６）。
【０１２７】
以上説明したように、実施例１にかかる判決文管理システム１は、ユーザが端末装置４で選択入力した第１小文章に類似または同一の小文章を有する判決文、評釈、訴状などを抽出でき、抽出結果として類似または同一の小文章または当該小文章を含む文を表示することができる。よって、ユーザは、簡単に類似する判決文、評釈、訴状などを検索して閲覧することができる。
【０１２８】
（実施例２）
判決文管理システム１の特徴を実施例２として記載する。なお、本実施の形態において、実施例２を他の実施例に組み合わせることが可能である。ただし、詳細な組み合わせた場合の構成については、記載を割愛する。
【０１２９】
（端末装置４の機能）
図１２は、端末装置４の端末表示部４１４によって表示される各表示画面の一例を示す図である。
【０１３０】
図１２は、端末装置４に表示される文検索画面５００の一例を示す図である。文検索画面５００は、ユーザが端末装置４を用いて判決文、評釈、または訴状などの文を検索するためのＷｅｂサイトにアクセスした際に表示される画面である。本実施例では、任意の判決文の小文章から判決文に対応付けられた評釈を検索する構成を例示する。本実施例は、判決文に対応付けられた文章であれば、評釈以外に訴状などであっても検索することもできる。文検索画面５００には、任意の判決文を表示する領域である判決文表示領域５０１、検索結果を表示する領域である検索結果表示領域５０２、およびユーザのマウスの操作によって移動されるマウスポインタ５０３などが表示される。
【０１３１】
判決文表示領域５０１には、判決文が章立てされた第１小文章が表示されている。具体的には、項目ごとにユーザに識別可能に表示される。図１２の例では、判決文が複数の第１小文章として小文章１  ５０４、小文章２  ５０５、小文章３  ５０６、および小文章４  ５０７に区分けされて表示されている。
【０１３２】
マウスポインタ５０３は、ユーザは、マウス操作によって判決文表示領域５０１に表示される任意の第１小文章を選択可能になっている。ここで選択とは、マウスのクリック操作、マウスのボタンを押下したまま領域を選択する操作、マウスのポインタ位置を移動する操作（所謂マウスオーバー）などをいう。本実施例では、マウスオーバーを例として説明をする。
【０１３３】
検索結果表示領域５０２には、ユーザによって選択された第１小文章に対応付けられた判決文に対応する評釈の第２小文章を含む評釈または第２小文章が表示される。図１２の例では、マウスポインタが、小文章２  ５０５をマウスオーバーによって選択しているため、検索結果表示領域５０２には小文章２  ５０５に対応する第２小文章５０８が表示されている。小文章２  ５０５に対応する評釈または第２小文章が抽出されない場合には検索結果表示領域５０２に何も表示されない。検索結果表示領域５０２に小文章２  ５０５に対応する第２小文章が表示される場合は、小文章２  ５０５の項目と同一の項目を有する第２小文章を抽出することでユーザは、選択された第１項目に対する評釈（第２小文章）を読むことができる。更に、本実施例では、判決文データベース３１１または評釈データベース３１２、あるいはこれら以外の記憶部に判決文および対応する評釈の対応関係が記憶されている。本実施例では、図４Ｂに示す通り、評釈データベース３１２が判決文に対応する評釈を記憶している。よって、第１小文章および第２小文章の種類について判決文データベース３１１および評釈データベース３１２は記憶する必要がない。
【０１３４】
（判決文に対応する他の文の小文章検索）
図１３は、実施例２にかかる判決文管理システム１による判決文の検索に係る動作シーケンスの一例を示す図である。
【０１３５】
以下に説明する動作シーケンスは、予めサーバ記憶部３１５に記憶されているプログラムに基づいて、主にサーバ処理部３１６により、サーバ３の各要素と協働して実行される。また、以下に説明する動作シーケンスは、予め端末装置４の端末記憶部４１２に記憶されているプログラムに基づいて、主に端末装置４の端末処理部４１５により、端末装置４の各要素と協働して実行される。また、以下に説明する動作シーケンスにおいて、サーバ３は、サーバ通信部３１４を介して端末装置４と各種の情報を送受信する。
【０１３６】
最初にサーバ３は、ユーザの端末装置４から表示したい判決文の選択入力を受け付け、判決文データベース３１１から選択入力された判決文識別情報に対応する判決文を抽出し、当該判決文を端末装置４に送信する（Ｓ１３０１）。
【０１３７】
次に、サーバ処理部３１６は、表示された章立てされた判決文のうち任意の第１小文章の選択入力を受け付ける（Ｓ１３０２）。ここで選択入力された第１小文章は、ユーザの所望する検索条件である。この選択入力は、任意の１つの第１小文章であってもよく、２つ以上の選択入力を受け付けてもよい。複数の選択入力を受け付けた際は、個々の入力に対して個々の検索結果を表示することができる。
【０１３８】
そしてサーバ処理部３１６は、判決文データベース３１１を参照して、選択入力された第１小文章の識別情報である第１小文章識別情報に対応付けられた第１項目識別情報を抽出する（Ｓ１３０３）。
【０１３９】
次に、サーバ処理部３１６は、Ｓ１３０１で選択入力された判決文識別情報に対応付けられている評釈識別情報が存在するかを判断する（Ｓ１３０４）。ここで、判決文識別情報に対応付けられた評釈識別情報が存在しない場合（Ｓ１３０４がＮＯ）は、本処理を終了する。
【０１４０】
一方、判決文識別情報に対応付けられた評釈識別情報が存在する場合（Ｓ１３０４がＹＥＳ）、サーバ処理部３１６は、抽出された第１項目識別情報と類似または同一の第２項目識別情報を有する第２小文章識別情報を抽出する（Ｓ１３０５）。前述の通り、Ｓ１３０５では、第１項目識別情報に対応付けられた第３項目識別情を訴状データベース３１３から抽出してもよい。本実施例でサーバ処理部３１６は、第１項目識別情報と同一の第２項目識別情報を有する第２小文章識別情報を抽出する。また、第１項目識別情報および第２項目識別情報が同一（共通）の項目分けを有することが好ましい。
【０１４１】
すなわち、図４Ａの例では、第１小文章識別情報０１−Ｂ００２の有する第１項目識別情報が０１−Ｋ００４であるため、第１小文章識別情報０１−Ｂ００２がユーザにより選択入力された場合は、図４Ｂの関連する文識別番号を有し、且つ同一の項目識別情報を有する第２小文章識別情報０２−Ｂ００２が抽出される。そして、第２小文章識別情報０２−Ｂ００２または当該第２小文章を含む評釈識別情報０２−００１に対応する文章または評釈の少なくとも一方が端末装置４に送信される。
【０１４２】
本実施例では、任意の判決文の第１小文章対応付けられた評釈を検索する構成としたが、判決文および評釈の組み合わせ以外の文を適用することもできる。例えば、評釈および訴状の組み合わせに適用した場合は、評釈識別情報および訴状識別情報が評釈データベース３１２または訴状データベース３１３で対応付けられていればよい。そして、サーバ処理部３１６は、第２項目識別情報と同一の第３項目識別情報を有する第３小文章を抽出する。本実施例においても第２項目識別情報および第３項目識別情報が同一（共通）の項目分けを有することが好ましい。例えば、図４Ｂの例で第２小文章識別情報０２−Ｂ００８がユーザにより選択入力された場合サーバ処理部３１６は、まず評釈識別情報０３−００３に対応付けられた訴状識別情報が存在するかを判断する。この場合、対応する訴状識別情報０３−００１が存在するため、サーバ処理部は、第２項目識別情報と同一の項目識別情報を有する第３小文章識別情報を抽出する。この例の場合、第２小文章識別情報０２−Ｂ００８の有する第２項目識別情報０２−Ｋ００９であるため、図４Ｃに示す訴状データベース３１３より同一の項目識別情報を有する第３小文章識別情報０３−Ｂ００２が抽出される。そして、第３小文章識別情報０３−Ｂ００２または当該第３小文章を含む評釈識別情報０３−００１に対応する第３小文章または訴状の少なくとも一方が端末装置４に送信される。
【０１４３】
続いて、サーバ処理部３１６は、評釈データベース３１２に該当する抽出結果が存在するかを判断する（Ｓ１３０６）。抽出結果が存在しない場合（Ｓ１３０６がＮＯ）は、表示する結果が存在しないため、本処理は終了する。
【０１４４】
一方、抽出結果が存在する場合（Ｓ１３０６がＹＥＳ）サーバ処理部３１６は、抽出結果として第２小文章を含む評釈または当該第２小文章を表示する画面構成を生成して、端末装置４に送信する（Ｓ１３０７）。
【０１４５】
以上説明したように、実施例２にかかる判決文管理システム１は、判決文に対応付けられた評釈や訴状などが存在する場合に、ユーザが端末装置４で選択入力した第１小文章と同一の項目を有する評釈や訴状などの小文章を抽出できる。また、図１２のように、判決文の第１小文章に対応する評釈の第２小文章を並べて表示できるため、ユーザは判決文を、評釈を参考にしながら読むことができる。
【０１４６】
図１２の例では、ユーザが選択入力した第１小文章に対応する第２小文章のみが検索結果表示領域５０２に表示されているが、複数の第２小文章または評釈を全文検索結果表示領域５０２に表示してもよい。この場合、判決文をユーザがスクロールした際に、検索結果表示領域５０２に表示されている評釈も同様にスクロールされるとよい。これには、判決文および評釈にハッシュタグなどの文の位置の目印となる情報を埋め込むことが必要となる。
【０１４７】
更に、スマートフォンなどの小さい画面で本実施例を実施した場合は、表示領域が狭いため、判決文の第１小文章をユーザが長押しした際にのみ対応する評釈の第２小文章をポッポアップ表示やフロート表示するとよい。
【０１４８】
（実施例３）
判決文管理システム１の特徴を実施例３として記載する。なお、本実施の形態において、実施例３を他の実施例に組み合わせることが可能である。ただし、詳細な組み合わせた場合の構成については、記載を割愛する。
【０１４９】
（端末装置４の機能）
図１４は、端末装置４の端末表示部４１４によって表示される各表示画面の一例を示す図である。
【０１５０】
図１４は、端末装置４に表示される文作成画面６００の一例を示す図である。文作成画面６００は、ユーザが端末装置４を用いて判決文や評釈などから他の文章を作成するためにＷｅｂサイトにアクセスした際に表示される画面である。本実施例では、任意の評釈の第２小文章から関連する訴状の第３小文章を抽出して訴状を作成する構成を例示する。本実施例は、訴状を作成するために必要な情報が得られる文であれば評釈以外からであってもよい。例えば、判決文などからでも訴状が作成できる。また、作成される文に関しても訴状以外に評釈などの文でもよい。更に、関連する訴状は、実際の訴状でなくても雛形であってもよい。この場合は、雛形に第２種類に応じた第３種類が挿入されることで第３小文章を作成することができる。文作成画面６００には、任意の評釈を表示する領域である評釈表示領域６０１、選択された小文章の一覧を表示する領域である小文章表示領域６０２、およびユーザのマウスの操作によって移動されるマウスポインタ６０３などが表示される。
【０１５１】
評釈表示領域６０１には、評釈が章立てされた第２小文章が表示されている。具体的には、項目ごとにユーザに識別可能に表示される。図１４の例では、評釈が複数の第２小文章として小文章１  ６０４、小文章２  ６０５、小文章３  ６０６、および小文章４  ６０７に区分けされて表示されている。
【０１５２】
マウスポインタ６０３は、ユーザは、マウス操作によって評釈表示領域６０１に表示される任意の第２小文章を選択可能になっている。ここで選択とは、マウスのクリック操作によって、任意の第２小文章を選択する操作や、選択された任意の第２小文章をドラッグして小文章表示領域６０２にドロップする操作を含む。
【０１５３】
小文章表示領域６０２には、ユーザによって選択された複数の第２小文章が表示される。ユーザは、１つの評釈から複数の第２小文章を選択して小文章表示領域６０２にドロップしてもよいし、複数の異なる評釈から複数の第２小文章を選択して小文章表示領域６０２にドロップしてもよい。小文章表示領域６０２には、複数の第２小文章をドロップできるよう、複数の入力枠が設けられている。図１４では、小文章選択欄１  ６０８、小文章選択欄２  ６０９、および小文章選択欄３  ６１０が設けられている。ここで、小文章選択欄１  ６０８および小文章選択欄２  ６０９には、第２小文章が選択されており、小文章選択欄３  ６１０にはまだ第２小文章が選択されていない状態である。評釈が評釈表示領域６０１に選択された際に、次に選択される小文章選択欄３  ６１０に選択可能な第２小文章が評釈表示領域６０１内でハイライトなどされてもよい。また、小文章選択欄は、どの順番に選択されてもよい。なお図１４の例では、マウスポインタが小文章３  ６０６を選択しており、ユーザは、この選択した小文章３  ６０６を小文章選択欄３  ６１０にドラッグしてドロップすることで、小文章３  ６０６が小文章選択欄３  ６１０に選択される。
【０１５４】
更に小文章表示領域６０２には、種類修正ボタン６１１および文作成ボタン６１２が設けられている。種類修正ボタン６１１は、小文章選択欄１  ６０８、小文章選択欄２  ６０９、および小文章選択欄３  ６１０に選択された小文章２の第２種類を変更するためのボタンである。ユーザは、このボタンをクリックすることで第２小文章の第２種類を変更するための画面に遷移する。
【０１５５】
図１５は、ユーザが種類修正ボタン６１１をクリックした際の画面遷移後の文作成画面６００の一例を表示している。図１４との差異として、文作成画面６００には、選択された第２小文章が表示されている小文章選択欄１  ６０８、小文章選択欄２  ６０９、および小文章選択欄３  ６１０のそれぞれの種類を修正するための入力欄として、小文章修正欄１  ６１３、小文章修正欄２  ６１４、小文章修正欄３  ６１５が表示される。小文章修正欄１  ６１３および小文章修正欄２  ６１４には、修正情報を入力するためのテキスト入力用のボックスが表示されており、ユーザは、ここに所望の修正内容を入力する。なお、この修正情報の入力態様は、テキスト入力以外にプルダウンからの選択やチェックボックスからの選択であってもよい。また、第２小文章が選択されていない小文章修正欄１  ６１３には、修正情報が入力できないように「未選択」の表示がされている。また、種類修正ボタン６１１も戻るボタン６１６に変更になっている。ユーザは、第２種類の修正が完了するとこの戻るボタン６１６をクリックすることで図１４の画面に戻ることができる。図１４の画面に戻った際にユーザは、再度第２小文章を選択したり、選択済みの第２小文章を変更したりできる。なお、戻った後の画面において、小文章表示領域６０２には、第２種類が修正された後の第２小文章が表示されてもよい。
【０１５６】
図１４に戻って、文作成ボタン６１２は、小文章選択欄１  ６０８、小文章選択欄２  ６０９、および小文章選択欄３  ６１０に対応付けられた訴状の第３小文章を元に訴状を作成するためのボタンである。この訴状作成のプロセスは、後述するサーバ処理部３１６によって行われる。
【０１５７】
（判決文から訴状を作成）
図１６は、実施例３にかかる判決文管理システム１による訴状の作成に係る動作シーケンスの一例を示す図である。
【０１５８】
以下に説明する動作シーケンスは、予めサーバ記憶部３１５に記憶されているプログラムに基づいて、主にサーバ処理部３１６により、サーバ３の各要素と協働して実行される。また、以下に説明する動作シーケンスは、予め端末装置４の端末記憶部４１４に記憶されているプログラムに基づいて、主に端末装置４の端末処理部４１５により、端末装置４の各要素と協働して実行される。また、以下に説明する動作シーケンスにおいて、サーバ３は、サーバ通信部３１４を介して端末装置４と各種の情報を送受信する。
【０１５９】
最初にサーバ３は、ユーザの端末装置４から表示したい評釈の選択入力を受け付け、評釈データベース３１１から選択入力された評釈識別情報に対応する評釈を抽出し、当該評釈を端末装置４に送信する（Ｓ１６０１）。
【０１６０】
次に、サーバ処理部３１６は、表示された章立てされた評釈のうち任意の第２小文章の選択入力を受け付ける（Ｓ１６０２）。ここで選択入力は、前述の通り、評釈表示領域６０１から小文章表示領域６０２への第２小文章のドラッグアンドドロップ操作である。ここで、第２小文章の選択入力は、１つずつを想定しているが、複数同時に選択入力される構成としてもよい。
【０１６１】
そしてサーバ処理部３１６は、小文章選択欄１  ６０８、小文章選択欄２  ６０９、および小文章選択欄３  ６１０に全て第２小文章が選択入力されたかを判断する（Ｓ１６０３）。なお、ここでは、全ての小文章選択欄に第２小文章が選択入力されたかを判断したが、小文章選択欄の所定数以上に第２小文章が選択入力されているか否かを判断してもよい。  全ての小文章選択欄に第２小文章が選択入力されていないと判断された場合（Ｓ１６０３がＮＯ）は、処理がＳ１６０１に戻され、更に評釈を選択する処理が実施される。なお、全ての小文章選択欄に第２小文章が選択入力されるまで、文作成ボタン６１２がクリック不可な状態（例えばグレースケール表示）となり、第２小文章の選択を促す画面構成を表示してもよい。
【０１６２】
一方、全ての小文章選択欄に第２小文章が選択入力されていると判断される場合（Ｓ１６０３がＹＥＳ）サーバ処理部３１６は、選択入力された複数の第２小文章の第２種類にユーザが修正を行うかを判断する（Ｓ１６０４）。なお、この第２種類の修正の入力は、Ｓ１６０３にて全ての小文章選択欄に第２小文章が選択入力されていない段階で受け付ける構成としてもよい。なお、ユーザが第２種類の修正を希望しない場合（Ｓ１６０４がＮＯ）は、処理がＳ１６０６に移される。なお、ここでサーバ処理部３１６は、選択された全ての第２小文章に修正を受け付ける構成としてもよい。ユーザが修正を希望しない際は、第２種類を修正せずにそのまま修正完了処理を行えばよい。
【０１６３】
一方、ユーザが第２種類の修正を希望する場合（Ｓ１６０４がＹＥＳ）サーバ処理部３１６は、ユーザから第２小文章の第２種類の修正を受け付ける（Ｓ１６０５）。この種類の修正は、訴状の祖額の元となる数値の修正や根拠となる法律の選択などである。
【０１６４】
続いて、サーバ処理部３１６は、文作成ボタン６１２がクリックされるか否かを判断する（Ｓ１６０６）。すなわち、ユーザは、全ての小文章選択欄に第２小文章を選択入力しており、第２種類に必要な修正を入力した状態で文作成ボタン６１２をクリックしている。この文作成ボタン６１２のクリックが確認できない場合、処理はＳ１６０４に戻される。なお、処理は、Ｓ１６０４に限定されずＳ１６０６を繰り返すこととしてもよい。
【０１６５】
続いて、サーバ処理部３１６は、訴状を作成する（Ｓ１６０７）。訴状の作成フローを図１７を参照して説明する。以下に説明する動作シーケンスは、予めサーバ記憶部３１５に記憶されているプログラムに基づいて、主にサーバ処理部３１６により、サーバ３の各要素と協働して実行される。
【０１６６】
まず、サーバ処理部３１６は、選択入力された第２小文章の第２項目を抽出する（Ｓ１７０１）。
【０１６７】
続いて、サーバ処理部３１６は、抽出された第２項目が対応付けられた評釈識別情報を抽出し、当該評釈識別情報に対応付けられている訴状識別情報を抽出し、当該訴状識別情報に対応付けられている複数の第３小文章の中に抽出された第２項目と同一の第３項目を有する第３小文章を抽出する（Ｓ１７０２）。
【０１６８】
そして、サーバ処理部３１６は、全ての選択入力された第２小文章に対応付けられた第３小文章を抽出したか否かを判断する（Ｓ１７０３）。ここで、全ての選択入力された第２小文章に対応付けられた第３小文章が抽出されていない場合（Ｓ１７０３がＮＯ）は、処理がＳ１７０１に戻される。
【０１６９】
一方、全ての選択入力された第２小文章に対応付けられた第３小文章が抽出されている場合（Ｓ１７０３がＹＥＳ）サーバ処理部３１６は、抽出された第３小文章を結合して訴状を作成する（Ｓ１７０４）。なお、作成された訴状を本発明では第３の文と呼ぶ。
【０１７０】
サーバ処理部３１６による処理は、一例であって、例えば実施例１のように第２項目および第２種類と同一の第３項目および第３種類を備える第３小文章を訴状データベース３１３から抽出することもできる。この場合、評釈および訴状の対応付けが不要となり、データベースの記憶容量を減らすことができる。
【０１７１】
図１６に戻って、サーバ処理部３１６は、作成された訴状を表示する画面構成を生成して、端末装置４に送信する（Ｓ１６０８）。
【０１７２】
以上説明したように、実施例３にかかる判決文管理システム１は、ユーザが端末装置４で選択入力した第２小文章に対応する第３小文章を抽出して、抽出された第３小文章を結合することで訴状を簡単に作成することができる。また、ユーザは、第２小文章の第２種類を修正することで、ユーザの所望する第２種類を含む第２章文章が存在しない場合にも、適切な第３種類を含む第３小文章を作成することができ、この第３小文章を含む訴状を作成することができる。
【０１７３】
（変形例１）
本実施形態にかかる判決文管理システム１では、例えば判決文に対応する評釈や訴状をサーバ３がコンピュータ２から受信していたが、この文同士の対応関係をサーバ３が判断する構成としてもよい。より具体的には、サーバ３は、章立てされた文を項目分けや種類分けして、これらの項目や種類を各小文章に対応付けて記憶しているため、文同士（複数の小文章）の項目および種類を比較して類似または同一の項目や種類から成る文同士を関連する文としてサーバ記憶部３１５に記憶してもよい。この構成によれば、個別に存在する判決文や評釈を判決文管理システム１によって簡単に対応付けて記憶することができる。
【０１７４】
（変形例２）
また、本実施例において、小文章の項目および種類は、サーバ３内での処理に使用する構成としているが、これらの項目および種類をユーザの端末装置４の端末表示部４１４に表示してもよい。この構成によれば、各小文章がどのような項目に属するのか、どのような種類を有するのかを小文章全体を解読せずともユーザが把握することができる。
【０１７５】
（変形例３）
本実施例において、サーバ処理部３１６は、Ｓ５０３にて章立て処理を行い、Ｓ５０４にて第小文章を複数の第１項目ごとに項目分けを行った。更に、サーバ処理部３１６は、Ｓ７０３にて章立て処理を行い、Ｓ７０４にて第２小文章を複数の第２項目ごとに項目分けを行った。サーバ処理部３１６は、Ｓ８０３にて章立て処理を行い、Ｓ８０４にて第３小文章を複数の第３項目ごとに項目分けを行った。しかしながら、本発明は、この構成に限定されない。
【０１７６】
例えば、各種文に含まれるテキストに対して形態素解析を行い、トークン列に変換して、当該トークン列に対して、機械学習ベース手法によりラベリング（本願の項目分け）をまず行う。ここで、素性はトークンの表層や品詞の文書中での座標などを使ってもよく、他の手法を使ってもよい。また、機械学習部分は、条件付確率場（ＣＲＦ）という手法を使ってもよく、ニューラルネットワークベース手法など他の手法を使ってもよい。この時点で、先ほどラベリングされた項目一覧とトークン列を突き合わせると「テキストのどの部分が項目名か」などが分かる。ルールベース手法によって各見出しに対して「この項目は一個前の項目から始まるセクションの子要素か、それとも前のセクションはこの手前で終わっているのか、終わっているとしたら何個のセクションが終わっているのか」を決定することができる。
【０１７７】
（変形例４）前述の通り、サーバ処理部３１６は、項目を一覧としてユーザの端末装置４に表示することで、目次を作成することができる。この目次を小文章の替わりに表示したり、目次と第１小文章を共に表示したりすることでも本発明は成り立つ。ここでは、実施例１に本構成を適用した場合の例を記載するが、実施例２および実施例３にも同様の構成を適用することができる。なお、上述の実施例１と重複する部分については、説明を割愛することがある。
【０１７８】
図１８の通り、第１小文章が章立てされており、更に章立てされた第１小文章の目次が判決文表示領域４０１に表示されている。より詳細には、判決文が小文章１の目次  ４０４ａ、小文章２の目次  ４０５ａ、小文章３の目次  ４０６ａ、および小文章４の目次  ４０７ａに集約されて表示されている。そして、ユーザは、これらの小文章をマウスポインタ４０３でクリックまたはマウスオーバーすることで小文章に類似する第１小文章を表示させることができる。具体的には、マウスポインタ４０３が小文章３の目次を選択しているため、小文章３に類似する小文章４０８ａ、４０８ｂ、４０８ｃを検索結果表示領域４０２に表示することができる。本構成によって、判決文表示領域４０１をコンパクトにまとめることができるため、判決文表示領域４０１に表示できる小文章の数を増やすことができる。具体的なサーバ３による処理については、図１１に示される処理と略同一であるため、ここでは説明を割愛する。
【０１７９】
更に、ユーザがマウスポインタ４０３を小文章３の目次  ４０６ａにマウスオーバーした際には、小文章３の詳細がポップアップウィンドウ（図示しない）に表示され、小文章３の目次  ４０６ａをクリックした際には、小文章３に類似する小文章４０８ａ、４０８ｂ、４０８ｃを表示してもよい。この構成によると、限られた画面スペースに目次を表示して、ユーザが必要なときのみに目次をマウスオーバーすることで小文章の詳細を確認することができる。
【０１８０】
本変形例では、目次を判決文表示領域４０１に表示しているが、目次に加えて小文章を併せて表示することもできる。この場合、ユーザは、目次をマウスオーバーまたはクリックすることで類似する小文章を検索することができる点は前述と同様だが、小文章をマウスオーバーまたはクリックすることでも類似する小文章を検索することができる。更に、ユーザが小文章をスクロールしてマウスオーバーした際には、マウスポインタ４０３が置かれている小文章に対応する目次がどれかわかるように表示形態を変更して表示してもよい。例えば、目次のテキストを変更したり、フォントを太字に変更したり、フラッシュ表示したりすることができる。
また、本変形例において文検索画面４００は、検索結果表示領域４０２を表示せずに判決文表示領域４０１として目次および第１小文章のみを表示する構成としてもよい。そして、第１小文章の選択を受け付けた場合に、検索結果表示領域４０２に遷移することとしてもよい。この構成によると、類似する小文章を検索する要望がない場合には、判決文を目次と共に参照することができ、類似する小文章を検索した場合のみ検索結果表示領域４０２を表示することができる。
【０１８１】
当業者は、本発明の精神および範囲から外れることなく、様々な変更、置換および修正をこれに加えることが可能であることを理解されたい。
【符号の説明】
【０１８２】
１    判決文管理システム
２    コンピュータ
３    サーバ
３１１    判決文データベース
３１２    評釈データベース
３１３    訴状データベース
３１４    サーバ通信部
３１５    サーバ記憶部
３１６    サーバ処理部
４    端末装置
４１１    端末通信部
４１２    端末記憶部
４１３    端末操作部
４１４    端末表示部
４１５    端末処理部
【図１】
2019197381.tif 000003
【図２】
2019197381.tif 000004
【図３】
2019197381.tif 000005
【図４Ａ】
2019197381.tif 000006
【図４Ｂ】
2019197381.tif 000007
【図４Ｃ】
2019197381.tif 000008
【図５】
2019197381.tif 000009
【図６】
2019197381.tif 000010
【図７】
2019197381.tif 000011
【図８】
2019197381.tif 000012
【図９】
2019197381.tif 000013
【図１０】
2019197381.tif 000014
【図１１】
2019197381.tif 000015
【図１２】
2019197381.tif 000016
【図１３】
2019197381.tif 000017
【図１４】
2019197381.tif 000018
【図１５】
2019197381.tif 000019
【図１６】
2019197381.tif 000020
【図１７】
2019197381.tif 000021
【図１８】
2019197381.tif 000022
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
記憶部および処理部を含むサーバによって判決文データベースを作成する判決文データベース作成方法において、
前記処理部がコンピュータから第１の文および当該第１の文以外の第２の文を受信する文章受信ステップと、
前記処理部が前記前記第１の文に含まれる文章を複数の第１小文章に章立てし、前記第２の文に含まれる文章を第２小文章に章立てする章立てステップと、
前記処理部が前記章立てされた前記第１小文章を予め定められた複数の第１項目ごとに項目分けし、前記章立てされた前記第２小文章を予め定められた複数の第２項目ごとに項目分けする項目分けステップと、
前記処理部が前記記憶部に前記第１の文、前記第１小文章、および前記第１項目をそれぞれ対応付けて記憶し、前記第２の文、前記第２小文章、および第２項目をそれぞれ対応付けて記憶し、更に前記第１の文および前記第２の文を対応付けて記憶させる記憶ステップと、
を含むことを特徴とする判決文データベース作成方法。
【請求項２】
前記処理部が前記第１小文章を前記第１項目において複数の第１種類のいずれに属するかを種類分けし、前記第２小文章を前記第２項目において複数の第２種類のいずれに属するかを種類分けする種類分けステップを更に含み、
前記記憶ステップは、前記複数の第１小文章の第１項目および前記第１種類が前記複数の第２小文章の第２項目および前記第２種類と類似または同一の場合に、前記第１の文および第２の文を対応付けて記憶させる
ことを特徴とする請求項１に記載の判決文データベース作成方法。
【請求項３】
第１の文に含まれる文章が複数の第１小文章に章立てされており、前記章立てされた前記第１小文章が予め定められた複数の第１項目ごとに項目分けされており、前記第１小文章を前記第１項目において複数の第１種類のいずれに属するかを種類分けされており、前記第１小文章を前記第１の文、前記第１項目、および前記第１種類に対応付けて記憶している判決文データベースを記憶する記憶部および処理部を含むサーバによって前記判決文データベースを検索する判決文データベース検索方法において、
前記処理部がユーザの端末装置から一の第１小文章に対応付けられた前記第１項目または前記第１種類を含む検索要求を受信する要求受信ステップと、
前記処理部が前記検索要求に含まれる前記第１項目または前記第１種類に類似または同一の前記第１項目または前記第１種類を含む他の第１小文章または当該他の第１小文章に対応付けられた第１の文を判決文データベースから抽出する抽出ステップと、
前記処理部が前記抽出された前記他の第１小文章または当該他の第１小文章に対応付けられた第１の文を前記ユーザの端末装置へ送信する送信ステップと、
を含むことを特徴とする判決文データベース検索方法。
【請求項４】
前記要求受信ステップにおいて、前記第１項目および前記第１種類を検索要求として受信した場合に、前記抽出ステップは、前記第１項目および前記第１種類を含む前記他の第１小文章または当該他の第１小文章に対応付けられた第１の文を抽出する
ことを特徴とする請求項３に記載の判決文データベース検索方法。
【請求項５】
前記処理部が前記抽出ステップが前記他の第１小文章に対応付けて記憶されている前記第１の文を抽出した場合に、前記他の第１小文章が当該第１の文においてどこの位置に存在するかを示す表示画面を生成する画面生成ステップを更に含み、
前記送信ステップは、前記表示画面を前記ユーザの端末装置に送信する
ことを特徴とする請求項３または４に記載の判決文データベース検索方法。
【請求項６】
前記抽出ステップにおいて、前記検索要求に含まれる前記第１項目または前記第１種類に対応付けられた前記他の第１小文章が複数前記判決文データベースから抽出された場合に、前記送信ステップは、抽出された前記複数の前記他の第１小文章を前記ユーザの端末装置へ送信する
ことを特徴とする請求項３〜５のいずれか一項に記載の判決文データベース検索方法。
【請求項７】
第１の文に含まれる文章が複数の第１小文章に章立てされており、前記章立てされた前記第１小文章が予め定められた複数の第１項目ごとに項目分けされており、前記第１小文章を前記第１の文および前記第１項目に対応付けて記憶しており、前記第１の文に関連する第１の文以外の第２文に含まれる文章が複数の第２小文章に章立てされており、前記章立てされた前記第２小文章が予め定められた複数の第２項目ごとに項目分けされており、前記第１の文および前記第２文を対応付けて記憶している判決文データベースを記憶する記憶部および処理部を含むサーバによって前記判決文データベースを検索する判決文データベース検索方法において、
前記処理部がユーザの端末装置から前記第１の文に対応付けられた前記第１項目を含む検索要求を受信する要求受信ステップと、
前記処理部が前記検索要求に含まれる前記第１項目に類似または同一の前記第２項目を含む前記第２の小文章または当該第２小文章に対応付けられた前記第２文を抽出する抽出ステップと、
前記処理部が前記抽出された前記第２小文章または当該第２小文章に対応付けられた前記第２文を前記ユーザの端末装置に送信する送信ステップと、
を含むことを特徴とする判決文データベース検索方法。
【請求項８】
前記第１小文章が項目分けされる前記複数の第１項目および前記第２の小文章が項目分けされる前記複数の第２項目は、それぞれ同一の項目を有する
ことを特徴とする請求項７に記載の判決文データベース検索方法。
【請求項９】
前記処理部が前記ユーザの端末装置に前記第１の文が表示される表示画面を生成する画面生成ステップを更に含み、
前記送信ステップは、前記表示画面を前記ユーザの端末装置に送信し、
前記画面生成ステップは、前記抽出ステップにおいて抽出された前記第２小文章を前記第１の文と共に表示する表示画面が生成する
ことを特徴とする請求項７または８に記載の判決文データベース検索方法。
【請求項１０】
前記処理部が前記抽出ステップが前記第２小文章に対応付けて記憶されている前記第２の文を抽出した場合に、前記第２小文章が前記第２の文においてどこの位置に存在するかを示す表示画面を生成する画面生成ステップを更に含み、
前記送信ステップは、前記表示画面を前記ユーザの端末装置に送信する
ことを特徴とする請求項７〜９のいずれか一項に記載の判決文データベース検索方法。
【請求項１１】
第１の文に含まれる文章が複数の第１小文章に章立てされており、前記章立てされた前記第１小文章が予め定められた複数の第１項目ごとに項目分けされており、前記第１小文章を前記第１の文および前記第１項目に対応付けて記憶しており、前記第１の文に関連する第１の文以外の第２文に含まれる文章が複数の第２小文章に章立てされており、前記章立てされた前記第２小文章が予め定められた複数の第２項目ごとに項目分けされており、前記第１の文および前記第２文を対応付けて記憶している判決文データベースを記憶する記憶部および処理部を含むサーバによって前記判決文データベースから第３文を作成する文作成方法において、
前記処理部がユーザの端末装置から複数の前記第１小文章の選択入力を受信する受信ステップと、
前記処理部が前記受信に含まれる前記複数の第１小文章に対応付けられた前記複数の前記第１項目に類似または同一の前記第２項目を含む複数の前記第２の小文章を抽出する抽出ステップと、
前記処理部が前記抽出された前記複数の前記第２小文章を結合して前記第３文として生成する文生成ステップと、
前記処理部が前記生成された前記第３文を前記ユーザの端末装置に送信する送信ステップと、
を含むことを特徴とする文作成方法。
【請求項１２】
前記処理部が前記第３文を生成するために必要な前記第２小文章が揃うまで前記第１小文章の選択を促す表示画面を生成する画面生成ステップを更に含む
ことを特徴とする請求項１１に記載の文作成方法。
【請求項１３】
前記処理部が前記抽出された前記第２小文章の第２項目が種類分けされる第２種類の修正を受信する修正受信ステップを更に含み、
前記文生成ステップは、前記受信した修正に基づいて前記第２種類を修正することで前記第３文を生成する
ことを特徴とする請求項１１または１２に記載の文作成方法。
【請求項１４】
前記第１小文章が項目分けされる前記複数の第１項目および前記第２の小文章が項目分けされる前記複数の第２項目は、それぞれ同一の項目を有する
ことを特徴とする請求項１１〜１３のいずれか一項に記載の文作成方法。
【請求項１５】
第１の文に含まれる文章が複数の第１小文章に章立てされており、前記章立てされた前記第１小文章が予め定められた複数の第１項目ごとに項目分けされており、前記第１小文章を前記第１項目において複数の第１種類のいずれに属するかを種類分けされており、前記第１小文章を前記第１項目および前記第１種類に対応付けて記憶しており、前記第１の文以外の第２文に含まれる文章が複数の第２小文章に章立てされており、前記章立てされた前記第２小文章が予め定められた複数の第２項目ごとに項目分けされており、前記第２小文章を前記第２項目において複数の第２種類のいずれに属するかを種類分けされており、前記第２小文章を前記第２項目および前記第２種類に対応付けて記憶している判決文データベースを記憶する記憶部および処理部を含むサーバによって前記判決文データベースから第３文を作成する文作成方法において、
前記処理部がユーザの端末装置から複数の第１小文章の選択入力を受信する受信ステップと、
前記処理部が前記要求に含まれる前記複数の第１小文章に対応付けられた前記複数の第１項目または前記第１種類に類似または同一の前記第２項目または前記第２種類を含む複数の前記第２小文章を抽出する抽出ステップと、
前記処理部が前記抽出された前記複数の前記第２小文章を結合して前記第３文として生成する文生成ステップと、
前記処理部が前記生成された前記第３文を前記ユーザの端末装置に送信する送信ステップと、
を含むことを特徴とする文作成方法。
【請求項１６】
前記処理部が前記第３文を生成するために必要な前記第２小文章が揃うまで前記第１小文章の選択を促す表示画面を生成する画面生成ステップを更に含む
ことを特徴とする請求項１５に記載の文作成方法。
【請求項１７】
前記処理部が前記抽出された前記第２小文章の前記第２種類の修正を受信する修正受信ステップを更に含み、
前記文生成ステップは、前記受信した修正に基づいて前記第２種類を修正することで前記第３文を生成する
ことを特徴とする請求項１５または１６に記載の文作成方法。
【請求項１８】
前記第１小文章が項目分けされる前記複数の第１項目および前記第２の小文章が項目分けされる前記複数の第２項目は、それぞれ同一の項目を有し、
前記第１小文章が種類分けされる前記複数の第１種類および前記第２の小文章が種類分けされる前記複数の第２種類は、それぞれ同一の種類を有する
ことを特徴とする請求項１５〜１７のいずれか一項に記載の文作成方法。
【請求項１９】
コンピュータから第１の文および当該第１の文以外の第２の文を受信する文章受信手段と、
前記第１の文に含まれる文章を複数の第１小文章に章立てし、前記第２の文に含まれる文章を第２小文章に章立てする章立て手段と、
前記章立てされた前記第１小文章を予め定められた複数の第１項目ごとに項目分けし、前記章立てされた前記第２小文章を予め定められた複数の第２項目ごとに項目分けする項目分け手段と、
前記第１の文、前記第１小文章、および前記第１項目に対応付けて記憶し、前記第２の文、前記第２小文章、および第２項目を対応付けて記憶し、更に前記第１の文および前記第２の文を対応付けて記憶する記憶手段と、
を含むことを特徴とする判決文データベースの作成装置。
【請求項２０】
第１の文に含まれる文章が複数の第１小文章に章立てされており、前記章立てされた前記第１小文章が予め定められた複数の第１項目ごとに項目分けされており、前記第１小文章を前記第１項目において複数の第１種類のいずれに属するかを種類分けされており、前記第１小文章を前記第１の文、前記第１項目、および前記第１種類に対応付けて記憶している判決文データベースの検索装置において、
ユーザの端末装置から一の第１の文に対応付けられた前記第１項目または前記第１種類を含む検索要求を受信する要求受信手段と、
前記検索要求に含まれる前記第１項目または前記第１種類に類似または同一の前記第１項目または前記第１種類を含む他の第１小文章または当該他の第１小文章に対応付けられた第１の文を判決文データベースから抽出する抽出手段と、
前記抽出された前記他の第１小文章または当該他の第１小文章に対応付けられた第１の文を前記ユーザの端末装置へ送信する送信手段と、
を含むことを特徴とする判決文データベースの検索装置。
【請求項２１】
第１の文に含まれる文章が複数の第１小文章に章立てされており、前記章立てされた前記第１小文章が予め定められた複数の第１項目ごとに項目分けされており、前記第１小文章を前記第１の文および前記第１項目に対応付けて記憶しており、前記第１の文に関連する第１の文以外の第２文に含まれる文章が複数の第２小文章に章立てされており、前記章立てされた前記第２小文章が予め定められた複数の第２項目ごとに項目分けされており、前記第１の文および前記第２文を対応付けて記憶している判決文データベースの検索装置において、
ユーザの端末装置から前記第１の文に対応付けられた前記第１項目を含む検索要求を受信する要求受信手段と、
前記検索要求に含まれる前記第１項目に類似または同一の前記第２項目を含む前記第２の小文章または当該第２小文章に対応付けられた前記第２文を抽出する抽出手段と、
前記抽出された前記第２小文章または当該第２小文章に対応付けられた前記第２文を前記ユーザの端末装置に送信する送信手段と、
を含むことを特徴とする判決文データベースの検索装置。
【請求項２２】
第１の文に含まれる文章が複数の第１小文章に章立てされており、前記章立てされた前記第１小文章が予め定められた複数の第１項目ごとに項目分けされており、前記第１小文章を前記第１の文および前記第１項目に対応付けて記憶しており、前記第１の文に関連する第１の文以外の第２文に含まれる文章が複数の第２小文章に章立てされており、前記章立てされた前記第２小文章が予め定められた複数の第２項目ごとに項目分けされており、前記第１の文および前記第２文を対応付けて記憶している判決文データベースから第３文を作成する文作成装置において、
ユーザの端末装置から複数の第１小文章の選択入力を受信する受信手段と、
前記受信に含まれる前記複数の第１小文章に対応付けられた前記複数の前記第１項目に類似または同一の前記第２項目を含む複数の前記第２の小文章を抽出する抽出手段と、
前記抽出された前記複数の前記第２小文章を結合して前記第３文として生成する文生成手段と、
前記生成された前記第３文を前記ユーザの端末装置に送信する送信手段と、
を含むことを特徴とする文作成装置。
【請求項２３】
第１の文に含まれる文章が複数の第１小文章に章立てされており、前記章立てされた前記第１小文章が予め定められた複数の第１項目ごとに項目分けされており、前記第１小文章を前記第１項目において複数の第１種類のいずれに属するかを種類分けされており、前記第１小文章を前記第１項目および前記第１種類に対応付けて記憶しており、前記第１の文以外の第２文に含まれる文章が複数の第２小文章に章立てされており、前記章立てされた前記第２小文章が予め定められた複数の第２項目ごとに項目分けされており、前記第２小文章を前記第２項目において複数の第２種類のいずれに属するかを種類分けされており、前記第２小文章を前記第２項目および前記第２種類に対応付けて記憶している判決文データベースから第３文を作成する文作成装置であって、
ユーザの端末装置から複数の第１小文章の選択入力を受信する要求受信手段と、
前記受信に含まれる前記複数の第１小文章に対応付けられた前記複数の第１項目または前記第１種類に類似または同一の前記第２項目または前記第２種類を含む複数の前記第２小文章を抽出する抽出手段と、
前記抽出された前記複数の前記第２小文章を結合して前記第３文として生成する文生成手段と、
前記生成された前記第３文を前記ユーザの端末装置に送信する送信手段と、
を含むことを特徴とする文作成装置。
【請求項２４】
コンピュータに、
他のコンピュータから第１の文および当該第１の文以外の第２の文を受信する文章受信機能と、
前記第１の文に含まれる文章を複数の第１小文章に章立てし、前記第２の文に含まれる文章を第２小文章に章立てする章立て機能と、
前記章立てされた前記第１小文章を予め定められた複数の第１項目ごとに項目分けし、前記章立てされた前記第２小文章を予め定められた複数の第２項目ごとに項目分けする項目分け機能と、
前記第１の文、前記第１小文章、および前記第１項目に対応付けて記憶し、前記第２の文、前記第２小文章、および第２項目を対応付けて記憶し、更に前記第１の文および前記第２の文を対応付けて記憶する記憶機能と、
を実現させることを特徴とする判決文データベースの作成プログラム。
【請求項２５】
第１の文に含まれる文章が複数の第１小文章に章立てされており、前記章立てされた前記第１小文章が予め定められた複数の第１項目ごとに項目分けされており、前記第１小文章を前記第１項目において複数の第１種類のいずれに属するかを種類分けされており、前記第１小文章を前記第１の文、前記第１項目、および前記第１種類に対応付けて記憶している判決文データベースの検索プログラムにおいて、
コンピュータに、
ユーザの端末装置から一の第１の文に対応付けられた前記第１項目または前記第１種類を含む検索要求を受信する要求受信機能と、
前記検索要求に含まれる前記第１項目または前記第１種類に類似または同一の前記第１項目または前記第１種類を含む他の第１小文章または当該他の第１小文章に対応付けられた第１の文を判決文データベースから抽出する抽出機能と、
前記抽出された前記他の第１小文章または当該他の第１小文章に対応付けられた第１の文を前記ユーザの端末装置へ送信する送信機能と、
を実現させることを特徴とする判決文データベースの検索プログラム。
【請求項２６】
第１の文に含まれる文章が複数の第１小文章に章立てされており、前記章立てされた前記第１小文章が予め定められた複数の第１項目ごとに項目分けされており、前記第１小文章を前記第１の文および前記第１項目に対応付けて記憶しており、前記第１の文に関連する第１の文以外の第２文に含まれる文章が複数の第２小文章に章立てされており、前記章立てされた前記第２小文章が予め定められた複数の第２項目ごとに項目分けされており、前記第１の文および前記第２文を対応付けて記憶している判決文データベースの検索プログラムにおいて、
コンピュータに、
ユーザの端末装置から前記第１の文に対応付けられた前記第１項目を含む検索要求を受信する要求受信機能と、
前記検索要求に含まれる前記第１項目に類似または同一の前記第２項目を含む前記第２の小文章または当該第２小文章に対応付けられた前記第２文を抽出する抽出機能と、
前記抽出された前記第２小文章または当該第２小文章に対応付けられた前記第２文を前記ユーザの端末装置に送信する送信機能と、
を実現させることを特徴とする判決文データベースの検索プログラム。
【請求項２７】
第１の文に含まれる文章が複数の第１小文章に章立てされており、前記章立てされた前記第１小文章が予め定められた複数の第１項目ごとに項目分けされており、前記第１小文章を前記第１の文および前記第１項目に対応付けて記憶しており、前記第１の文に関連する第１の文以外の第２文に含まれる文章が複数の第２小文章に章立てされており、前記章立てされた前記第２小文章が予め定められた複数の第２項目ごとに項目分けされており、前記第１の文および前記第２文を対応付けて記憶している判決文データベースから第３文を作成する文作成プログラムにおいて、
コンピュータに、
ユーザの端末装置から複数の第１小文章の選択入力を受信する要求受信機能と、
前記受信に含まれる前記複数の前記複数の第１小文章に対応付けられた前記第１項目に類似または同一の前記第２項目を含む複数の前記第２の小文章を抽出する抽出機能と、
前記抽出された前記複数の前記第２小文章を結合して前記第３文として生成する文生成機能と、
前記生成された前記第３文を前記ユーザの端末装置に送信する送信機能と、
を実現させることを特徴とする文作成プログラム。
【請求項２８】
第１の文に含まれる文章が複数の第１小文章に章立てされており、前記章立てされた前記第１小文章が予め定められた複数の第１項目ごとに項目分けされており、前記第１小文章を前記第１項目において複数の第１種類のいずれに属するかを種類分けされており、前記第１小文章を前記第１項目および前記第１種類に対応付けて記憶しており、前記第１の文以外の第２文に含まれる文章が複数の第２小文章に章立てされており、前記章立てされた前記第２小文章が予め定められた複数の第２項目ごとに項目分けされており、前記第２小文章を前記第２項目において複数の第２種類のいずれに属するかを種類分けされており、前記第２小文章を前記第２項目および前記第２種類に対応付けて記憶している判決文データベースから第３文を作成する文作成プログラムにおいて、
ユーザの端末装置から複数の第１小文章の選択入力を受信する受信機能と、
前記受信に含まれる前記複数の第１小文章に対応付けられた前記複数の第１項目または前記第１種類に類似または同一の前記第２項目または前記第２種類を含む複数の前記第２小文章を抽出する抽出機能と、
前記抽出された前記複数の前記第２小文章を結合して前記第３文として生成する文生成機能と、
前記生成された前記第３文を前記ユーザの端末装置に送信する送信機能と、
を実現させることを特徴とする文作成プログラム。
【手続補正２】
【補正対象書類名】図面
【補正対象項目名】図８
【補正方法】変更
【補正の内容】
【図８】
2019197381.tif 000023